(57)【特許請求の範囲】
【請求項１】
原稿の画像を読み取り画像データを得る画像読取手段と、
コンピユータと接続され、該コンピユータから画像データを受けるデータ通信手段と、
電話回線に接続されて画像データを受信するファクシミリ手段と、
前記画像データを圧縮する圧縮手段と、
前記ファクシミリ手段から得た画像データ、前記データ通信手段から得た画像データ、及び、前記画像読取手段から得た画像データ、もしくは、前記圧縮手段より圧縮された圧縮画像データを記憶するために共用される画像記憶手段と、
前記画像記憶手段から読み出された前記圧縮画像データを伸張する伸張手段と、
前記伸張手段によって伸張された画像データに基づいて画像形成を行う画像形成手段と、
前記画像記憶手段へのアクセス制御をする画像記憶制御手段とを備え、
前記画像記憶制御手段は、
前記画像読取手段、データ通信手段、ファクシミリ手段及び画像記憶手段の組み合わせによって具現化される諸機能に対して、予め定められた優先順位に基づいて前記画像形成手段を使用させるようにし、
前記画像読取手段、画像記憶手段及び画像形成手段により実現される第１の複写機能と、
前記データ通信手段、画像記憶手段及び画像形成手段により実現されるプリンタ機能とが競合したとき、
前記画像形成手段を優先的に複写機能に使用させるとともに、
前記データ通信手段から得た画像データを、一旦、前記画像記憶手段に記憶した後、前記画像記憶手段から読み出し、前記圧縮手段で圧縮し、前記画像記憶手段に再度記憶させるようにしたことを特徴とする画像形成装置。
【請求項２】
原稿の画像を読み取り画像データを得る画像読取手段と、
コンピユータと接続され、該コンピユータから画像データを受けるデータ通信手段と、
電話回線に接続されて画像データを受信するファクシミリ手段と、
前記画像データを圧縮する圧縮手段と、
前記ファクシミリ手段から得た画像データ、前記データ通信手段から得た画像データ、及び、前記画像読取手段から得た画像データ、もしくは、前記圧縮手段より圧縮された圧縮画像データを記憶するために共用される画像記憶手段と、
前記画像記憶手段から読み出された前記圧縮画像データを伸張する伸張手段と、
前記伸張手段によって伸張された画像データに基づいて画像形成を行う画像形成手段と、
前記画像記憶手段へのアクセス制御をする画像記憶制御手段とを備え、
前記画像記憶制御手段は、
前記画像読取手段、データ通信手段、ファクシミリ手段及び画像記憶手段の組み合わせによって具現化される諸機能に対して、予め定められた優先順位に基づいて前記画像形成手段を使用させるようにし、
前記画像読取手段、画像記憶手段及び画像形成手段により実現される第１の複写機能と、
前記ファクシミリ手段、画像記憶手段及び画像形成手段により実現されるファクシミリ受信機能とが競合したとき、
前記画像形成手段を優先的に複写機能に使用させるとともに、
前記ファクシミリ手段から得た画像データを、一旦、前記画像記憶手段に記憶した後、前記画像記憶手段から読み出し、前記圧縮手段で圧縮し、前記画像記憶手段に再度記憶させるようにしたことを特徴とする画像形成装置。
【請求項３】
原稿の画像を読み取り画像データを得る画像読取手段と、
コンピユータと接続され、該コンピユータから画像データを受けるデータ通信手段と、
電話回線に接続されて画像データを受信するファクシミリ手段と、
前記画像データを圧縮する圧縮手段と、
前記ファクシミリ手段から得た画像データ、前記データ通信手段から得た画像データ、及び、前記画像読取手段から得た画像データ、もしくは、前記圧縮手段より圧縮された圧縮画像データを記憶するために共用される画像記憶手段と、
前記画像記憶手段から読み出された前記圧縮画像データを伸張する伸張手段と、
前記伸張手段によって伸張された画像データに基づいて画像形成を行う画像形成手段と、
前記画像記憶手段へのアクセス制御をする画像記憶制御手段とを備え、
前記画像記憶制御手段は、
前記画像読取手段、データ通信手段、ファクシミリ手段及び画像記憶手段の組み合わせによって具現化される諸機能に対して、予め定められた優先順位に基づいて前記画像形成手段を使用させるようにし、
前記データ通信手段、画像記憶手段及び画像形成手段により実現されるプリンタ機能と、
前記ファクシミリ手段、画像記憶手段及び画像形成手段により実現されるファクシミリ受信機能とが競合したとき、予め定められた優先度の高い機能に画像形成手段を使用させるとともに、その優先度の低い機能による画像データを、一旦、前記画像記憶手段に記憶した後、前記画像記憶手段から読み出し、前記圧縮手段で圧縮し、前記画像記憶手段に再度記憶させるようにしたことを特徴とする画像形成装置。
【請求項４】
前記画像データを圧縮するために第１の前記圧縮手段とは独立して稼働可能な第２の圧縮手段を有することを特徴とする請求項１乃至３のいずれかに記載の画像形成装置。
【請求項５】
前記第１の圧縮手段は、前記画像読取手段から得た画像データを圧縮し、
前記第２の圧縮手段は、前記ファクシミリ手段から得た画像データを圧縮することを特徴とする請求項４に記載の画像形成装置。
【請求項６】
前記画像形成手段をメモリスルーで画像形成をさせつつ、前記画像記憶手段に画像データを記憶させる第２の複写機能を有し、
前記第１の複写機能と前記第２の複写機能とを切り替えて使用可能であることを特徴とする請求項１乃至５のいずれか１つに記載の画像形成装置。
【請求項７】
前記画像形成手段をメモリスルーで画像形成をさせる第３の複写機能を有し、
前記第１の複写機能と前記第３の複写機能とを切り替えて使用可能であることを特徴とする請求項１乃至６のいずれか１つに記載の画像形成装置。
【請求項８】
前記データ通信手段から得た画像データは、一旦、前記画像記憶手段に記憶された後に、前記画像記憶手段から読み出されて画像回転処理が施され、前記圧縮手段で圧縮された後に、前記画像記憶手段に再度記憶されることを特徴とする請求項１乃至７のいずれか１つに記載の画像形成装置。
【請求項９】
前記画像記憶手段は、前記画像読取手段から得た画像データ、前記データ通信手段から得た画像データ、及び、前記ファクシミリ手段から得た画像データを記憶するために、それぞれの画像データを記憶する複数のメモリ領域に分割されていることを特徴とする請求項１乃至８のいずれか１つに記載の画像形成装置。
【請求項１０】
前記画像記憶手段は増設可能であることを特徴とする請求項１乃至９のいずれか１つに記載の画像形成装置。
【請求項１１】
前記画像記憶制御手段は、
ファクシミリ機能を実行中に、複写機能の要求があった場合、前記ファクシミリ機能に関する処理をページの区切りで一旦中断し、
前記複写機能に対して優先的に前記画像形成手段を使用させることを特徴とする請求項１乃至３のいずれか１つに記載の画像形成装置。
【請求項１２】
前記画像記憶制御手段は、
プリンタ機能を実行中に、複写機能の要求があった場合、前記プリンタ機能に関する処理をページの区切りで一旦中断し、
前記複写機能に対して優先的に前記画像形成手段を使用させることを特徴とする請求項１乃至３のいずれか１つに記載の画像形成装置。
【請求項１３】
前記画像記憶制御手段は、
前記画像形成手段における１ページの画像形成が終了する毎に、優先順位の高い機能の要求の有無を確認することを特徴とする請求項１１又は１２に記載の画像形成装置。
【発明の詳細な説明】
【０００１】
【発明の属する技術分野】
この発明は複写機能、ファクシミリ機能及びプリンタ機能を備えた複合機に適用して好適な画像形成装置に関する。
【０００２】
詳しくは、画像読取手段から得た画像データ、ファクシミリ手段から得た画像データ及びデータ通信手段から得た画像データを記憶するために画像記憶手段を設け、少なくとも、上述の３つの手段で画像記憶手段を共用し、原稿読み取り中に、画像形成及び画像通信できるようにし、あるいは、画像形成中に、画像読み取り及び画像通信できるようにし、又は、画像通信中に、画像読み取り及び画像形成できるようにすると共に、その画像記憶手段を効率良く使用できるようにしたものである。
【０００３】
【従来の技術】
近年、原稿画像から取得した画像データに基づいて画像形成を行うデジタル複写機が使用されるに至っている。この複写機では原稿の画像情報がスキャナ等により読み込まれ、その原稿の画像情報が一旦、画像メモリに蓄えられる。そして、その画像メモリに蓄えられた画像情報はユーザの要求に応じて画像の縮小、拡大及び回転などの画像処理が施される。ここで画像処理された画像データに基づく画像が画像形成手段（プリンタ）によって所定の転写紙に形成される。この結果、原稿画像を複写（コピー）することができる。
【０００４】
また、上述のデジタル複写機能と、ファクシミリ機能と、プリンタ機能とを複合化し、これらの３つの機能によりプリンタを共有すると共に、複写機能と、ファクシミリ機能とにより画像読取手段（スキャナ）を共有した複合機が販売されている。
【０００５】
図３６はこの種の複合機１０の構成例を示すブロック図である。図３６に示す複合機１０はデータバス１を有している。このデータバス１には通信モデム２、コーディック部３、スキャナ４、画像処理部５、データ通信部６、画像メモリ７、プリンタ８及び制御部９などが接続されている。この制御部９には操作部９Ａや表示部９Ｂが接続されている。この種の複合機１０では、画像メモリ７がコピー領域７ＡとＦＡＸ領域７Ｂに分けられている。
【０００６】
複写機能ではコピー領域７Ａが使用され、スキャナ４などで読み取られた原稿画像データが圧縮された後に記憶される。ファクシミリ機能ではＦＡＸ領域７Ｂが使用され、相手方から送られてきた画像データが通信モデム２によって受信されると、コーディック部３で復号化され、その後、ファクシミリ機能用に割り当てられたＦＡＸ領域７Ｂに記録される。
【０００７】
プリンタ機能では、コピー領域７Ａが共用され、コンピユータからの画像データがデータ通信部９によって受け取られると、画像処理部５で所定の画像処理がなされた後に、そのコピー領域７Ａに記憶される。このコピー領域７Ａ及びＦＡＸ領域７Ｂに関して、両者のメモリ容量を比較すると、その作業性にも関連するが、コピー領域７Ａの方が大容量を割り当てられる場合が多い。
【０００８】
この画像メモリ７に記憶された画像データは伸張された後に、画像処理部５で所定の画像処理が施され、その後、プリンタ８に出力される。プリンタ８では画像データが１ページ単位に記録紙に転写されて画像が形成される。
【０００９】
ところで、複写機能、ファクシミリ機能及びプリンタ機能を有した複合機１０によれば、ある機能を使用している場合に、他の機能が使用できなくなるのは大変不便である。従って、複合化された各機能が独立して動作することが好ましい。もしも、複合機１０の構成上同時に動作できない場合でも、ユーザの操作入力による機能を優先して実行させ、ユーザにストレスを感じさせないことが重要である。この優先機能は、いわゆるマルチアクセス又はデュアルアクセスと呼ばれている。
【００１０】
このマルチアクセスの下では、ファクシミリ（ＦＡＸ）受信の終了後に、自動的に通信レポートをプリントアウトする場合や、その終了後に、コンピユータから受け取った画像データをプリントアウトする場合がある。そのプリントアウトを行っている時に、ユーザによって緊急に「コピーをしたい」という要求が操作部９Ａを介して制御部９に指示される場合がある。このような要求に対して、それらのプリントアウトを一旦中断して優先的にユーザの欲するコピーができなくてはならない。
【００１１】
また、プリントアウト中や、ＦＡＸ通信中に、それらのジョブとは無関係に、ＦＡＸ送信のための動作条件の設定操作や、原稿読み取りができなくてはならない。更に、各々の各機能によるプリントジョブが重なった場合には、緊急度の高いものから優先してプリントアウトする必要がある。
【００１２】
【発明が解決しようとする課題】
しかしながら、従来方式の複合機１０によれば、複写機能及びプリンタ機能にはコピー領域７Ａが割り当てられ、ファクシミリ機能にはＦＡＸ領域７Ｂが割り当てられており、ファクシミリ機能、複写機能及びプリンタ機能の実行に応じて画像データが制御部９によって書き込み又は読み出されている。
【００１３】
従って、原稿読み取り中に、画像形成及び画像通信したいとする要求が有った場合に、プリント機能及びファクシミリ機能の実行によるデータバス１の使用要求に対して、どちらかの機能にデータバス１を与えて画像メモリ７に画像データを書き込んだり、又は、その画像メモリ７から画像データを読み出すかを調停しなくてはならない。このことで制御部９における調停処理が複雑化したり、制御負担が重くなる。
【００１４】
これにより、原稿読み取り中に、画像形成及び画像通信したり、画像形成中に、画像読み取り及び画像通信したり、又は、画像通信中に、画像読み取り及び画像形成することが困難となる。因みに、データバス１のビット幅を拡張したり、高性能の制御部９を設けることによって制御部９のバス調停処理を軽減する方法も考えられるが、複合機１０のコストアップにつながるとう問題がある。
【００１５】
そこで、この発明は上述した課題を解決したものであって、原稿読み取り中に、画像形成及び画像通信できるようにし、又は、画像形成中に、画像読み取り及び画像通信できるようにし、あるいは、画像通信中に、画像読み取り及び画像形成できるようにすると共に、画像記憶手段を効率良く使用できるようにした画像形成装置を提供することを目的とする。
【００１６】
【課題を解決するための手段】
上記問題点を解決するために、本発明に係る第１の画像形成装置は、原稿の画像を読み取り画像データを得る画像読取手段と、コンピユータと接続され、該コンピユータから画像データを受けるデータ通信手段と、電話回線に接続されて画像データを受信するファクシミリ手段と、画像データを圧縮する圧縮手段と、ファクシミリ手段から得た画像データ、データ通信手段から得た画像データ、及び、画像読取手段から得た画像データ、もしくは、圧縮手段より圧縮された圧縮画像データを記憶するために共用される画像記憶手段と、この画像記憶手段から読み出された圧縮画像データを伸張する伸張手段と、この伸張手段によって伸張された画像データに基づいて画像形成を行う画像形成手段と、画像記憶手段へのアクセス制御をする画像記憶制御手段とを備え、画像記憶制御手段は、画像読取手段、データ通信手段、ファクシミリ手段及び画像記憶手段の組み合わせによって具現化される諸機能に対して、予め定められた優先順位に基づいて画像形成手段を使用させるようにし、画像読取手段、画像記憶手段及び画像形成手段により実現される第１の複写機能と、データ通信手段、画像記憶手段及び画像形成手段により実現されるプリンタ機能とが競合したときは、画像形成手段を優先的に複写機能に使用させるとともに、データ通信手段から得た画像データを、一旦、画像記憶手段に記憶した後、画像記憶手段から読み出し、圧縮手段で圧縮し、画像記憶手段に再度記憶させるようにしたことを特徴とするものである。
【００１７】
この発明の第１の画像形成装置によれば、第１の複写機能とプリンタ機能とが競合したとき、データ通信手段がコンピユータから受けた画像データのデータ処理待ちを回避することができる。
【００１９】
従って、原稿読み取り中に、画像形成及び画像通信をすることができ、使用勝手が非常に良く、しかも、柔軟性に優れた複合機を構成することができる。
【００２０】
また、本発明の第１の画像形成装置によれば、画像記憶手段が共用されるので、画像読取手段、ファクシミリ手段又はデータ通信手段でメモリ領域を使用していない場合、又は、これらの手段でメモリ領域を使用しているが、そのメモリ使用率が低い場合には、空いているメモリ領域を現在稼働している画像読取手段、ファクシミリ手段又はデータ通信手段で流動的に使用することができる。従って、画像記憶手段を効率良く使用することができる。
【００２１】
本発明の第２の画像形成装置は、原稿の画像を読み取り画像データを得る画像読取手段と、コンピユータと接続され、該コンピユータから画像データを受けるデータ通信手段と、電話回線に接続されて画像データを受信するファクシミリ手段と、画像データを圧縮する圧縮手段と、ファクシミリ手段から得た画像データ、データ通信手段から得た画像データ、及び、画像読取手段から得た画像データ、もしくは、圧縮手段より圧縮された圧縮画像データを記憶するために共用される画像記憶手段と、この画像記憶手段から読み出された圧縮画像データを伸張する伸張手段と、この伸張手段によって伸張された画像データに基づいて画像形成を行う画像形成手段と、画像記憶手段へのアクセス制御をする画像記憶制御手段とを備え、画像記憶制御手段は、画像読取手段、データ通信手段、ファクシミリ手段及び画像記憶手段の組み合わせによって具現化される諸機能に対して、予め定められた優先順位に基づいて画像形成手段を使用させるようにし、画像読取手段、画像記憶手段及び画像形成手段により実現される第１の複写機能と、ファクシミリ手段、画像記憶手段及び画像形成手段により実現されるファクシミリ受信機能とが競合したとき、画像形成手段を優先的に複写機能に使用させるとともに、ファクシミリ手段から得た画像データを、一旦、画像記憶手段に記憶した後、画像記憶手段から読み出し、圧縮手段で圧縮し、画像記憶手段に再度記憶させるようにしたことを特徴とするものである。
【００２２】
この発明の第２の画像形成装置によれば、第１の複写機能とファクシミリ受信機能とが競合したとき、ファクシミリ手段が電話回線に接続されて受信した画像データのデータ処理待ちを回避することができる。
【００２３】
従って、画像形成中に、画像読み取り及び画像通信をすることができ、使用勝手が非常に良く、しかも、柔軟性に優れた複合機を構成することができる。
【００２４】
本発明の第３の画像形成装置は、原稿の画像を読み取り画像データを得る画像読取手段と、コンピユータと接続され、該コンピユータから画像データを受けるデータ通信手段と、電話回線に接続されて画像データを受信するファクシミリ手段と、画像データを圧縮する圧縮手段と、ファクシミリ手段から得た画像データ、データ通信手段から得た画像データ、及び、画像読取手段から得た画像データ、もしくは、圧縮手段より圧縮された圧縮画像データを記憶するために共用される画像記憶手段と、この画像記憶手段から読み出された圧縮画像データを伸張する伸張手段と、この伸張手段によって伸張された画像データに基づいて画像形成を行う画像形成手段と、画像記憶手段へのアクセス制御をする画像記憶制御手段とを備え、画像記憶制御手段は、画像読取手段、データ通信手段、ファクシミリ手段及び画像記憶手段の組み合わせによって具現化される諸機能に対して、予め定められた優先順位に基づいて画像形成手段を使用させるようにし、データ通信手段、画像記憶手段及び画像形成手段により実現されるプリンタ機能と、ファクシミリ手段、画像記憶手段及び画像形成手段により実現されるファクシミリ受信機能とが競合したとき、予め定められた優先度の高い機能に画像形成手段を使用させるとともに、その優先度の低い機能による画像データを、一旦、画像記憶手段に記憶した後、画像記憶手段から読み出し、圧縮手段で圧縮し、画像記憶手段に再度記憶させるようにしたことを特徴とするものである。
【００２５】
この発明の第３の画像形成装置によれば、プリント機能とファクシミリ受信機能とが競合したとき、その優先度の低い機能による画像データのデータ処理待ちを回避することができる。
【００２６】
従って、画像通信中に、画像読み取り及び画像形成をすることができ、使用勝手が非常に良く、しかも、柔軟性に優れた複合機を構成することができる。
【００２７】
【発明の実施の形態】
以下、図面を参照しながら、この発明の実施形態としての画像形成装置について説明をする。
【００２８】
（１）第１の実施形態
図１は、本発明の実施形態としての画像形成装置１００の構成例を示す図である。
【００２９】
本実施の形態では、画像読取手段から得た画像データ、ファクシミリ手段から得た画像データ及びデータ通信手段から得た画像データを記憶するために画像記憶手段を設け、この画像記憶手段を画像読取手段、ファクシミリ手段及びデータ通信手段で共用し、原稿読み取り中に、画像形成及び画像通信できるようにし、あるいは、画像形成中に、画像読み取り及び画像通信できるようにし、又は、画像通信中に、画像読み取り及び画像形成できるようにすると共に、その画像記憶手段を効率良く使用できるようにしたものである。
【００３０】
この発明の画像形成装置１００はファクシミリ受信機能、複写機能及びプリンタ機能を有している。図１に示す画像形成装置１００には画像読取手段１１、データ通信手段１２及びファクシミリ手段１３が設けられる。画像読取手段１１では、原稿の画像を読み取って画像データを得るようになされる。画像読取手段１１については図５において、その一実施例となる自動原稿給紙読取装置を説明する。画像読取手段１１の出力段には第１の圧縮手段１４が接続され、画像読取手段１１からの画像データを圧縮した後の圧縮画像データが出力される。
【００３１】
この圧縮手段１４の出力段には画像記憶制御手段１５が接続され、その画像記憶制御手段１５には、少なくとも、画像読取手段１１、データ通信手段１２及びファクシミリ手段１３で共用される画像記憶手段１６が接続され、画像読取手段１１から得た画像データ、データ通信手段１２から得た画像データ、及び、ファクシミリ手段１３から得た画像データが記憶される。この画像記憶手段１６は複数のメモリ領域に分割して使用される。例えば、画像記憶手段１６はコピー／プリンタ領域及びＦＡＸ領域に割り当てられ、これらのメモリ領域は更にファイルメモリ及びページメモリなどに分けて使用される場合もある。もちろん、画像記憶手段１６は増設可能である。
【００３２】
また、コンピユータと接続されるデータ通信手段１２では、そのコンピユータから送られてくる画像データが受け取られ、上述した画像記憶制御手段１５の制御を受けて画像記憶手段１６に転送される。この例では、データ通信手段１２から受け取った画像データが、画像記憶手段１６に一旦格納された後に、その画像データが圧縮処理され、その後、再度、画像記憶手段１６に記憶される場合がある。予め準備された記録紙のサイズに画像データのサイズを合わせるためである。
【００３３】
更に、通信回線と接続されるファクシミリ手段１３では、相手方の端末装置から送られてくる画像データを受信したり、画像読取手段１１で読み取った画像データ又はコンピユータから受け取った画像データが相手方の端末装置に送信される。画像データの送信に際しては符号化処理などが行われる。
【００３４】
また、ファクシミリ手段１３の出力段には上述の圧縮手段１４とは独立して稼働可能な第２の圧縮手段１７が接続され、相手方から受信した符号化画像データを復号化した後の画像データが圧縮され、ここで圧縮された圧縮画像データが画像記憶制御手段１５の制御を受けて、画像記憶手段１６に転送される。上述の第１及び第２の圧縮手段１４、１７は各々バイパス回路を有しており、画像データの圧縮処理をパスできるようになされている。
【００３５】
この画像記憶制御手段１５では、画像記憶手段１６に記憶される画像データ及びその画像記憶手段１６から読み出される画像データの調停が行われ、かつ、画像記憶手段１６へのアクセス制御が行われる。この例では、画像読取手段１１、データ通信手段１２、ファクシミリ手段１３及び画像記憶手段１６の組み合わせによって具現化される諸機能に対して、予め定められた優先順位に基づいてその画像読取手段１１や、画像形成手段１８などを使用させるようにしている。
【００３６】
この例では、画像読取手段１１、画像記憶手段１６及び画像形成手段１８により複写機能が実現され、データ通信手段１２、画像記憶手段１６及び画像形成手段１８によりプリンタ機能が実現され、ファクシミリ手段１３、画像記憶手段１６及び画像形成手段１８によりファクシミリ機能が実現される。ファクシミリ機能は更にファクシミリ受信機能及びファクシミリ送信機能に分かれる。
【００３７】
この例で、ファクシミリ受信機能、複写機能及びプリンタ機能の実行に際して、画像形成手段１８の使用要求があった場合には、予め設定された優先順位の高い機能順に画像形成手段１８を使用させるように、画像記憶制御手段１５が画像記憶手段１６から画像データを読み出すようになされる。
【００３８】
例えば、複写機能とプリンタ機能とが競合したときは、画像形成手段１８を優先的に複写機能に使用させ、データ通信手段１２による画像データを画像記憶手段１６に一時記憶するように、画像記憶制御手段１５によって調停される。また、複写機能と、ファクシミリ受信機能とが競合した場合には、画像形成手段１８を優先的に複写機能に使用させ、ファクシミリ手段１３による相手方からの画像データを受信して画像記憶手段１６に一時記憶するように、画像記憶制御手段１５によって調停される。
【００３９】
更に、プリンタ機能と、ファクシミリ受信機能とが競合した場合には、予め定められた優先度の高い機能に画像形成手段１８を使用させ、その優先度の低い機能による画像データを画像記憶手段１６に一時記憶するように画像記憶制御手段１５によって調停される。なお、ファクシミリ送信機能はファクシミリ受信機能を実行していなければ、通信回線が空いているので、随時、画像記憶手段１６から読み出すように画像記憶制御手段１５によって制御される。
【００４０】
上述の画像記憶制御手段１５の出力段には伸張手段１９が接続され、画像記憶手段１６から読み出された圧縮画像データを伸張した後の画像データが出力される。この伸張手段１９はバイパス回路を有しており、画像データの伸張処理をパスできるようになされている。これは、データ通信手段１２などからの画像データが圧縮処理されないで、画像記憶手段１６に直接記憶される場合がある。その場合には画像記憶手段１６から読み出した画像データには伸張処理が必要ないためである。
【００４１】
この例では伸張手段１９の出力が３系統に分かれ、その出力段には第１の画像回転手段２１、第２の画像回転手段２２及び画像形成手段１８が接続されている。画像回転手段２１では、伸張手段１９からの画像データ又は伸張手段１９をパスした画像データに関して画像回転処理がなされる。この画像回転処理は画像読取手段１１や、データ通信手段１２などからの画像データでそのまま画像形成をした場合には、画像サイズの縦・横の長さが予め準備された記録紙に収まらない場合があるので、画像データを９０°回転させるものである。
【００４２】
もちろん、画像回転処理は９０°に限られることはなく、原稿が画像読取手段１１に対して曲がって載置された場合などに、その位置ずれを無くすように画像データが所定角度だけ回転修正される。画像回転手段２１の出力は上述した圧縮手段１４の入力に接続される。画像回転手段２２も同じ機能を有しており、画像回転手段２２の出力は上述した圧縮手段１７の入力に接続される。
【００４３】
この第１及び第２の画像回転手段２１、２２はバイパス回路を有しており、画像データの画像回転処理をパスできるようになされている。これは、データ通信手段１２などからの画像データで画像形成をした場合に、画像サイズの縦・横の長さが予め準備された記録紙に収まる場合には、画像データの回転処理が必要ないためである。
【００４４】
このように画像データの圧縮系及び画像回転系を図１に示した２つの経路に分けて構成すると、データ通信手段１２から得た画像データを、一旦、画像記憶手段１６に記憶させた後に、その画像データを画像記憶手段１６から読み出し、圧縮手段１４あるいは圧縮手段１７で圧縮された後に、画像記憶手段１６に再度記憶することができ、データ処理待ちを回避することができる。
【００４５】
また、データ通信手段１２から得た画像データを、一旦、画像記憶手段１６に記憶させた後に、その画像データを画像記憶手段１６から読み出して、その画像データを画像回転処理を施した後に、圧縮手段１４あるいは圧縮手段１７で圧縮された後に、画像記憶手段１６に再度記憶することができ、データ処理待ちを回避することができる。
【００４６】
上述の伸張手段１９の出力段には、画像形成手段１８が接続され、画像記憶手段１６に記憶された画像データに基づいて画像形成が行われる。この例では、伸張手段１９からの画像データ又は伸張手段１９をパスした画像データに基づいて画像形成が行われる。画像形成手段１８については図５において、その一実施例を説明する。
【００４７】
この画像記憶制御手段１５には制御手段２３及び記憶手段２４が接続されている。この記憶手段２４には、画像形成手段１８による画像形成に関して予め優先順位が定められた複数のジョブ命令が記憶されている。制御手段２３ではこの記憶手段２４によるジョブ命令に従って画像読取手段１１、データ通信手段１２及び画像形成手段１８を駆動してジョブ命令を実行するようになされている。
【００４８】
この例では、複数ページを画像形成するジョブ命令が制御手段２３によって実行されている中で、画像形成手段１８を使用する割り込み要求があった場合に、その実行中のジョブ命令に基づく画像形成処理を当該ページの区切りで一旦中断され、その記憶手段２４による複数のジョブ命令の優先順位に基づいて他のジョブ命令を実行するようになされる。
【００４９】
続いて、画像形成装置１００の動作例について説明をする。図２は本実施の形態としての画像形成装置１００の動作例を示すフローチャートである。この例では、ファクシミリ受信機能と、複写機能と、プリンタ機能とが競合した場合には、複写機能を優先的に実行し、複写機能と、ファクシミリ受信機能とが競合した場合も、複写機能を優先的に実行し、ファクシミリ受信機能と、プリンタ機能とが競合した場合には、ファクシミリ機能を優先的に実行する場合を前提にして説明する。
【００５０】
この例では、画像形成処理に至るデータ処理系が２つに大きく分かれている。つまり、図２に示すフローチャートのステップＡ１〜ステップＡ１６でファクシミリ受信機能に係るデータ処理が実行され、そのステップＡ７〜ステップＡ１９で複写機能、プリント機能及びファクシミリ送信機能に係るデータ処理が実行される。
【００５１】
ファクシミリ受信機能では、まず、ステップＡ１で相手方の端末装置の「呼」を待つ。ここで、ファクシミリ手段１３では相手方の「呼」が検出される。相手方の「呼」を検出した場合にはステップＡ２に移行して、相手方から送られてきた符号化画像データがファクシミリ手段１３によって受信される。そして、ステップＡ３に移行して、ファクシミリ手段１３で受信された符号化画像データが画像記憶手段１６のファイルメモリに一時記憶される。
【００５２】
その後、ステップＡ４に移行して相手方からの符号化画像データがファイルメモリから読み出されて復号化され、画像データが伸張される。そして、ステップＡ５に移行して復号化された相手方からの画像データが記録画像処理される。
【００５３】
その後、ステップＡ６に移行して相手方からの画像データがページメモリに書き込まれる。そして、ステップＡ１３で複写機能による画像形成手段１８の使用要求があるかが検出される。この際に、複写機能の実行によって生ずる画像形成手段１８の使用要求が例えば制御手段２３によって受付けられ、この制御手段２３では、記憶手段２４に書き込まれた画像形成手段１８の使用に関する優先順位と照合され、その照合結果で複写機能に画像形成手段１８の使用許可が与えられる。
【００５４】
従って、ステップＡ１３で複写機能による画像形成手段１８の使用要求が無い場合にはステップＡ１６に移行してファクシミリ機能による画像形成処理がなされる。ステップＡ１３で複写機能による画像形成手段１８の使用要求がある場合にはステップＡ１４に移行して複写機能による画像形成処理が終了するまで、ファクシミリ機能では画像データがページメモリに保持したまま待機される。
【００５５】
そして、ステップＡ１５に移行して複写機能よる画像形成手段１８の使用が終了したかを検出する。この検出に関しては、一定時間が経過する毎に、画像形成手段１８が使用されているかをチェックする方法や、複写機能よる画像形成手段１８の使用が終了した時点で、終了フラグを発生するようにして、その終了フラグを制御手段２３がチェックする方法などが採られる。
【００５６】
従って、画像形成手段１８の使用が終了しない場合には、ステップＡ１４に戻って画像形成手段１８が空くまで待機する。その使用が終了した場合には、ステップＡ１６に移行して画像記憶手段１６のページメモリから画像データを読み出して画像形成処理を実行する。
【００５７】
また、複写機能、プリント機能及びファクシミリ送信機能ではステップＡ７でユーザからの操作入力によって、複写機能／ファクシミリ送信機能と、プリント機能とにジョブが大きく２つに分けられる。前者は画像読取手段１１を使用するジョブであり、後者はデータ通信手段１２によるジョブである。従って、前者が選択された場合には、ステップＡ８に移行して画像読取手段１１によって原稿の画像が読み取られ、原稿画像データが圧縮手段１４で圧縮された後に、画像記憶制御手段１５の制御を受けて圧縮画像データが画像記憶手段１６に記憶される。
【００５８】
後者が選択された場合には、ステップＡ９に移行して、コンピユータから送られてくる画像データがデータ通信手段１２によって受け取られ、画像記憶制御手段１５の制御を受けて圧縮画像データが画像記憶手段１６に記憶される。その後、ステップＡ１０に移行して原稿画像データ又は受信画像データが記録画像処理される。ここで、例えば、予め準備された記録紙のサイズに画像データのサイズを合わせるために、データ通信手段１２から受け取った画像データが、画像記憶手段１６から読み出されて画像回転処理が施され、その後、その画像データが圧縮手段１４で圧縮処理された後に、再度、画像記憶手段１６に記憶される。
【００５９】
そして、ステップＡ１１に移行して複写機能、プリント機能及びファクシミリ送信機能のジョブが制御手段２３によって切り分けられる。制御手段２３によって複写機能を実行する場合には、ステップＡ１６に移行し、プリント機能及びファクシミリ受信機能に対して優先的に画像形成手段１８を使用し、画像形成処理を実行する。
【００６０】
また、ステップＡ１１でプリンタ機能を実行する場合には、ステップＡ１３に移行して、制御手段２３によって複写機能による画像形成手段１８の使用要求があるかが検出される。この検出については、上述した通りである。従って、ステップＡ１３で複写機能による画像形成手段１８の使用要求が無い場合にはステップＡ１６に移行してページメモリから読み出した画像データに基づいた画像形成処理がなされる。
【００６１】
ステップＡ１３で複写機能による画像形成手段１８の使用要求がある場合には、ファクシミリ受信機能の場合と同様にしてステップＡ１４に移行して複写機能による画像形成処理が終了するまで待機する。そして、ステップＡ１５で複写機能よる画像形成手段１８の使用が終了したかを検出し、その使用がまだ終了しない場合には、ステップＡ１４で画像形成手段１８が空くまで待機する。その使用が終了した場合には、ステップＡ１６に移行して画像形成処理を実行する。
【００６２】
また、ステップＡ１１でファクシミリ送信機能を実行する場合には、ステップＡ１７に移行して相手方に送る画像データを符号化して圧縮した後に、ステップＡ１８で符号化画像データをファイルメモリに一時記憶する。その後、ステップＡ１９に移行してファクシミリ手段１３で相手方の端末装置に符号化画像データが送信される。
【００６３】
このように、本実施形態としての画像形成装置１００によれば、画像記憶手段１６に記憶された画像データに基づいて画像形成を行う際に、画像記憶制御手段１５によって画像データが調停され、予め定められた優先順位に基づいて画像形成手段１８を使用させるようになされる。
【００６４】
このため、複写機能とプリンタ機能とが競合したときは、画像形成手段１８を優先的に複写機能に使用させ、データ通信手段１２による画像データは画像記憶手段１６に一時記憶することができる。また、複写機能とファクシミリ受信機能とが競合した場合には、画像形成手段１８を優先的に複写機能に使用させ、ファクシミリ手段１３による相手方からの画像データを受信して画像記憶手段１６に記憶することができる。プリント機能とファクシミリ受信機能とが競合した場合には、予め定められた優先順位でファクシミリ受信機能に画像形成手段１８を使用させることができる。
【００６５】
従って、画像読取手段１１で原稿読み取り中に、先に取得されたファクシミリ手段１３又はコンピユータからの画像データを画像記憶手段１６から読み出して画像形成することができる。その原稿読み取り中に、ファクシミリ手段１３によって相手方から受信した画像データを画像記憶手段１６に記録（メモリ受信）したり、予め画像記憶手段１６に記憶して置いた、画像データを画像記憶手段１６から読み出して相手方へ送信（メモリ送信）したりすることもできる。更に、その原稿読み取り中に、データ通信手段１２によってコンピユータからの画像データを画像記憶手段１６へ受信して一時記憶することもできる。
【００６６】
また、画像記憶手段１６から読み出した画像データに基づいて画像形成を行っている最中に、画像読取手段１１で送信用又は新たな原稿を読み取って画像記憶手段１６にその画像データを記憶することができる。その画像形成中に、データ通信手段１２によってコンピユータからの新たな画像データを受信して画像記憶手段１６へ一時記憶することもできる。
【００６７】
また、本実施形態に係る画像形成装置１００によれば、画像記憶手段１６が共用されるので、画像読取手段１１、ファクシミリ手段１３又はデータ通信手段１２でメモリ領域を使用していない場合、又は、これらの画像読取手段１１、ファクシミリ手段１３又はデータ通信手段１２でメモリ領域を使用しているが、そのメモリ使用率が低い場合には、空いているメモリ領域を現在稼働している画像読取手段１１、ファクシミリ手段１３又はデータ通信手段１２で使用することができる。従って、画像記憶手段１６を効率良く使用することができる。これにより、使用勝手の非常に優れた複合機を構成することができる。
【００６８】
（２）画像形成装置を応用した複合機
図３は本実施の形態としての画像形成装置を応用した複合機２００の機能例を説明する概念図である。図３に示す複合機（コピア）２００は上述した画像形成装置１００が応用されるものである。この例では、少なくとも、原稿を読み取って記録紙に画像を形成するコピー機能、原稿を読み取って相手方に原稿画像を送信するファクシミリ送信（ＦＡＸ送信）機能、相手方の端末装置１０１から受信した原稿画像を記録紙に形成するファクシミリ受信（ＦＡＸ受信）機能、及び、パーソナルコンピユータ（以下パソコンという）１０２から受信した画像データに基づいて記録紙に画像を形成するプリント機能の４つを有している。
【００６９】
この複合機（第２の画像形成装置）２００は、図４に示す画像メモリ制御基板２５、ファクシミリ手段１２としてのＦＡＸ基板２６及びデータ通信手段１３としてのパソコン通信基板２７を有すると共に、２本のデータバス２８、２９を有している。
【００７０】
この例で、画像メモリ制御基板２５の右横にはＦＡＸ基板２６及びパソコン通信基板２７が順に配置されている。各々の基板２５〜２７の組み合わせ方によって、同一平面に並べらなれない場合には、マザーボード３１と呼ばれる基板積層用のソケット基板が配置される場合もある。この場合には、ＦＡＸ基板２６とパソコン通信基板２７とがマザーボード３１に差し込まれ、垂直方向に積層されるように配置される。
【００７１】
このように配置すると、基板実装時のコンパクト化が図れる。上述の画像メモリ制御基板２５とパソコン通信基板２７とは第１のデータバス２８により接続され、画像メモリ制御基板２５とＦＡＸ基板２６とは第２のデータバス２９に接続されている。
【００７２】
この例では画像メモリ制御基板２５のほぼ中央部には、半導体集積回路（以下ＩＣという）化された画像記憶制御手段１５としてのメモリ制御回路３２が配置される共に、データバス２８に接続されている。このメモリ制御回路３２の下方領域には、このメモリ制御回路３２と併置するように画像記憶手段１６としての画像メモリ３３が配置されると共に、メモリバス４７を介してメモリ制御回路３２に接続され、パソコン通信基板２７から得た画像データ、及び、原稿を読み取って得た画像データなどを記憶するために共用される。
【００７３】
この画像メモリ３３に記憶される画像データ及びその画像メモリ３３から読み出される画像データはメモリ制御回路３２によって調停が行われ、かつ、画像メモリ３３へのアクセス制御がなされる。この例では、複写機能とプリンタ機能とが競合したときは、画像形成手段１８を優先的に複写機能に使用させ、パソコン通信基板２７による画像データを画像メモリ３３に一時記憶するように、メモリ制御回路３２によって調停される。
【００７４】
また、複写機能と、ファクシミリ受信機能とが競合した場合には、画像形成手段１８を優先的に複写機能に使用させ、ファクシミリ手段１３による相手方からの画像データを受信して画像メモリ３３に一時記憶するように、メモリ制御回路３２によって調停される。更に、プリンタ機能と、ファクシミリ受信機能とが競合した場合には、予め定められた優先度の高い機能に画像形成手段１８を使用させ、その優先度の低い機能による画像データを画像メモリ３３に一時記憶するようにメモリ制御回路３２によって調停される。なお、ファクシミリ送信機能はファクシミリ受信機能を実行していなければ、通信回線が空いているので、随時、画像メモリ３３から画像データを読み出すようにメモリ制御回路３２によって調停される。
【００７５】
このメモリ制御回路３２と画像メモリ３３とを併置した方向に対して略直交する方向であって、メモリ制御回路３２の左側には、圧縮手段１４と伸張手段１９とをＩＣ化した第１の圧縮伸張回路３４が配置されると共に、メモリ制御回路３２に内部バスＡを介して接続され、画像を読取って得た原稿画像データが圧縮され又は伸張される。圧縮伸張回路３４の左側には画像回転手段２１としての読取画像形成用の画像処理回路３５が配置されると共に、圧縮伸張回路３４に接続され、原稿画像データが画像処理されたり、画像形成手段１８へ出力する画像データが画像処理される。
【００７６】
この画像処理回路３５には画像読取手段１１としての自動原稿給紙読取装置（ＡＤＦ）４０が接続され、原稿の画像を自動的に読み取った画像データが発生される。画像処理回路３５の周辺領域（この例では、左側）には３個のＦＩＦＯメモリ３６ａ、３６ｂ、３６ｃがラインメモリとして配置されると共に、画像処理回路３５に接続され、画像データのやりとりの際に、その入出力タイミングを整合するために一時保持される。
【００７７】
そのメモリ制御回路３２の右側には圧縮伸張回路３４とは独立して稼働可能な圧縮手段１７及び伸張手段１９をＩＣ化した第２の圧縮伸張回路３７が配置されると共に、メモリ制御回路３２に内部バスＢを介して接続され、ＦＡＸ基板２６から得た画像データが圧縮され又は伸張される。この圧縮伸張回路３７の右側には第２の画像回転手段２２としてのファクシミリ画像形成用の画像処理回路（以下拡大縮小回路という）３８が配置されると共に、圧縮伸張回路３７に接続されている。
【００７８】
この拡大縮小回路３８では、ＦＡＸ基板２６から得た画像データが拡大されたり、その画像データが縮小処理されたり、画像形成手段１８へ出力する画像データが拡大されたり、その画像データが縮小処理される。この拡大縮小回路３８にはＳＲＡＭ３９がラインメモリとして接続され、上述のＦＩＦＯメモリ３６ａ、３６ｂ、３６ｃと同様な機能として使用される。
【００７９】
この例では、画像処理回路３５とメモリ制御回路３２とは、圧縮伸張回路３４をパスするように内部バスＣ及び内部バスＥを介して直接接続され、拡大縮小回路３８とメモリ制御回路３２とも、圧縮伸張回路３７をパスするように内部バスＤ及び内部バスＦを介して直接接続されている。
【００８０】
この画像メモリ制御基板２５の左上部領域には制御手段２３としてのＣＰＵ８１、ホストブリッジ８２及びＩ／Ｏポート８５と、記憶手段２４としてのＲＡＭ８３及びＲＯＭ８１０とが配置されると共に、ＣＰＵバス８４を介してＣＰＵ８１、ＲＡＭ８３、Ｉ／Ｏポート８５及びＲＯＭ８１０がホストブリッジ８２に接続されている。
【００８１】
このＲＡＭ８３には、画像形成手段１８による画像形成に関して予め優先順位が定められた複数のジョブ命令が記憶されている。ＣＰＵ８１ではＲＡＭ８３によるジョブ命令に従って自動原稿給紙読取装置４０、パソコン通信基板２７及び画像形成手段１８を駆動してジョブ命令を実行するようになされる。このＲＯＭ８１０にはシステム全体を制御する制御プログラムが格納される。Ｉ／Ｏポート８５には操作部８６及び表示部８７が接続されている。
【００８２】
この例では、複数ページを画像形成するジョブ命令がＣＰＵ８１によって実行中に、画像形成手段１８を使用する割り込み要求がホストブリッジ８２を介して受け付けられた場合に、その実行中のジョブ命令を当該ページの区切りで一旦中断され、そのＲＡＭ８３による複数のジョブ命令の優先順位に基づいて他のジョブ命令が実行され、又は、当該ジョブ命令を引き続き実行するようになされる。
【００８３】
このホストブリッジ８２はデータバス２８と、このデータバス２８とは独立に設けられたデータバス２９に接続されており、画像形成手段１８の使用要求に関してバス使用権の調停処理などが行われる。
【００８４】
このデータバス２８にはパーソナルコンピユータ（以下パソコンという）１０２などと接続されるパソコン通信基板２７が接続され、そのパソコン１０２から送られてくる画像データが受け取られる。このパソコン通信基板２７はＰＣｉブリッジ２７ａや、ネットワークボード（ドータボード：Ｄaughter Ｂord）７ｂを有している。
【００８５】
このＰＣｉブリッジ２７ａはデータバス２８を介してメモリ制御回路３２及びホストブリッジ８２に接続され、ホストブリッジ８２に画像形成手段１８の使用要求を発信したり、パソコン１０２からの画像データが転送される。ドータボード２７ｂはＬＡＮ（Ｌocal Ａrea Ｎetwork）などのインターネットに接続してパソコン通信を行うときに使用される。ＰＣｉブリッジ２７ａの内部構成例については、ホストブリッジ８２と共に、図６において説明する。
【００８６】
また、データバス２９にはＦＡＸ基板２６が接続され、電話回線に接続されて画像データが相手方の端末装置に送信されたり、相手方からの画像データが受信される。ＦＡＸ基板２６はＦＡＸシステムＩＣ６００やデュアルポートＲＡＭ６０７などを有しており、データバス２９を介して圧縮伸張回路３４、画像処理回路３５、圧縮伸張回路３７及び拡大縮小回路３８に接続されている。ＦＡＸ基板２６の内部構成例については図９において説明する。この画像処理回路３５には、画像形成手段１８が接続され、メモリ制御回路３２によって画像メモリ３３から読み出された画像データに基づいて画像形成が行われる。
【００８７】
このように、複合機２００によれば、メモリ制御回路３２を中心にしてその周囲に整然と圧縮伸張回路３４、画像メモリ３３、圧縮伸張回路３７を配置することができる。従って、レイアウト設計的に内部バス（データバス）Ａ〜Ｆを無秩序に引き回すことが無くなり、メモリ制御回路３２と画像メモリ３３との間のメモリバス４７を中心にしてと、圧縮伸張回路３４とメモリ制御回路３２との間の内部バスＡと、このメモリ制御回路３２と圧縮伸張回路３７との間の内部バスＢとを対称的に配置することができる。
【００８８】
これにより、メモリ制御回路３２内において、圧縮伸張回路３４とメモリ制御回路３２との間を接続する、図７で説明するようなインタフェース部６３と、メモリ制御回路３２と圧縮伸張回路３７との間を接続するインタフェース部６６とを対称的に配置できるなど、レイアウト設計の簡略化を図ることができる。
【００８９】
続いて、複合機２００の断面の構成例について説明する。図５は、複合機２００の自動原稿給紙読取装置（ＡＤＦ）４０の画像読み取り部（プラテン用）５０及び画像形成手段１８の構成例を示す断面図である。上述した自動原稿給紙装置４０は図５に示す原稿載置部４１、ローラ４２ａ、ローラ４２ｂ、ローラ４３、反転ローラ４４、反転部４５及び排紙皿４６を有している。
【００９０】
また、画像読み取り部５０は第１のプラテンガラス５１、第２のプラテンガラス５２、光源５３、ミラー５４、５５、５６、結像光学系５７、ＣＣＤ撮像装置５８及び図示しない光学駆動系を有している。画像形成手段１８は感光体ドラム７１、帯電部７２、現像部７３、転写部７４、分離部７５、クリーニング部７６、搬送機構７７及び定着部７８を有している。
【００９１】
例えば、原稿載置部４１には原稿の第１頁目の表面を上にした状態で、複数枚の原稿２０が載置されている。そして、図示しないＡＤＦ制御部によってローラ４２ａ及びローラ４２ｂが駆動されると、これらのローラ４２ａ及びローラ４２ｂを介して繰り出された原稿２０の１枚目がローラ４３を介して搬送される。
【００９２】
このとき、図示しない読み取り制御部の制御を受けて、画像読み取り部５０の光源５３から原稿２０の画像面に光が照射される。この反射光はミラー５４，５５，５６によって案内され、その反射光が結像光学系５７を介してＣＣＤ撮像装置５８に取り込まれる。これにより、ＣＣＤ撮像装置５８の受光面に原稿２０の画像が結像される。
【００９３】
ここで、プラテンガラス５１上に原稿２０の読み取り面を下に向けた状態で、その原稿２０が原稿載置部４１に載置された場合には光学駆動系はプラテンガラス５１に沿って、画像読み取り部５０を走査することでＣＣＤ撮像装置５８に取り込まれる。そして、読み取られた原稿２０の画像取得信号ＳinはＣＣＤ撮像装置２８から図４に示した画像処理回路３５に転送される。画像処理回路３５では画像取得信号Ｓinをデジタルデータに変換した後の画像データＤinがＦＩＦＯメモリ３６ａなどに一時記憶される。その後、画像データはＦＩＦＯメモリ３６ａから圧縮伸張回路３４で圧縮された後にメモリ制御回路３２の制御を受けて画像メモリ３３に格納される。
【００９４】
この画像メモリ３３は電源バックアップされており、瞬断などによって主電源がオフされても、画像データＤinをバックアップできるので、画像編集処理などのために読み込まれた貴重な画像データＤinの消失を防止できる。
【００９５】
なお、自動原稿給紙読取装置４０において、原稿２０が自動給紙される操作モードの場合には、ローラ４３の周囲を原稿２０が回るようになる。この場合にはプラテンガラス５２下に光源５３とミラー５４とが固定された状態で、原稿画像が画像読み取り部５０によって読み取られる。そして、原稿２０の第１頁目が読み取られると、今度は反転ローラ４４を介して再度、ローラ４３を用いた巻き取り操作が行われ、原稿裏面の画像が画像読み取り部５０で読み取られ、その画像取得信号Ｓinが画像処理回路３５に出力される。
【００９６】
このようにして、表面と裏面の画像が読み取られた原稿２０は、再度反転ローラ４４で反転されて表面を下に向けた状態で、排紙皿４６に積載されて行く。これと共に画像読み取り部５０で、読み取られた画像取得信号Ｓinは画像処理回路３５で、デジタルの画像データＤinに変換された後に、図４に示した画像メモリ３３に格納される。
【００９７】
一方、記録紙３０が積載されている給紙カセット３０ａ又は３０ｂから、記録紙３０が繰り出されて画像形成手段１８に給送される。記録紙３０はその入り口のレジストローラ６１で同期が採られた後に感光体ドラム７１に、より近接する。
【００９８】
この状態で、画像メモリ３３から読み出された画像データＤoutは画像処理回路３５で画像処理された後に、画像書き込み部６０に出力される。画像データＤoutは各々の原稿２０の表面から先に画像処理部３５から読み出される。画像書き込み部６０内では、画像データＤoutに応じたレーザ光がレーザダイオードから感光体ドラム７１上へ照射されるので、この感光体ドラム７１に原稿２０の静電潜像が形成される。この静電潜像は現像部７３で現像された後に、感光体ドラム７１上にトナー像として形成される。
【００９９】
このトナー像は感光体ドラム７１の下部に設けられた転写部７４によって記録紙３０に転写される。このとき、記録紙３０は感光体ドラム７１に吸着される。そして、感光体ドラム７１に吸着された記録紙３０は分離部７５によって感光体ドラム７１から分離される。その後、感光体ドラム７１から分離された記録紙３０は搬送機構７７を介して定着部７８に送出され、トナー像が熱と圧力とにより定着される。これにより、記録紙３０に原稿裏面の画像（第２頁目画像）が形成される。
【０１００】
また、トナー像が定着された記録紙３０はガイド９１を介して下方に搬送され、反転部９３に送出される。次に反転部９３に送出された記録紙３０は反転ローラ９２で、再度上方向に繰り出され、給紙カセット３０ａ上に設けられた反転搬送路９４を通って再度、画像形成手段１８に転送される。
【０１０１】
上述した原稿２０の裏面の画像形成が終了した画像形成手段１８では、感光体ドラム７１に残留付着したトナーがクリーニング部７６により除去され、次の画像形成に対処すべく待機している。この状態で、記録紙３０の表面（未だ画像形成されていない面）上にして、記録紙３０がレジストローラ６１を介して画像形成手段１８に送出される。画像形成手段１８では感光体ドラム７１に原稿表面の静電潜像が形成され、この静電潜像が現像部７３で現像されるので、感光体ドラム７１上に原稿表面のトナー像が形成される。
【０１０２】
このトナー像は転写部７４によって記録紙３０に転写されるので、その表面に第１頁目の静電潜像が形成される。感光体ドラム７１に吸着された記録紙３０は分離部７５によって感光体ドラム７１から分離された後に、搬送機構７７を介して定着部７８に送出され、トナー像が熱と圧力とにより定着される。これにより、記録紙３０に原稿表面の画像（第１頁目画像）を形成することができる。
【０１０３】
その後、記録紙３０の裏面と表面とに画像形成が完了した記録紙３０はフィニッシャ部９０で出力形態（ソータ機能及びステプラー機能などの操作指示）に対応して、そのまま機外に排出されるか、もしくは、再度、反転部９３で反転されて排出ローラ９５により機外に排出される。これにより、原稿２０の表裏（両面）の画像を記録紙３０の表裏にコピーすることができる。
【０１０４】
続いて、ホストブリッジ８２について説明をする。図６はホストブリッジ８２の内部構成例を示すブロック図である。図６に示すホストブリッジ８２はデータバス２８及びデータバス２９と、ＣＰＵバス８４との間に接続されて使用される。データバス２８には双方向性の第１のインタフェース部６３が接続され、このデータバス２８との間でデータが入出力される。インタフェース部６３の内部への出力段にはＦＩＦＯメモリ６４ａが接続され、パソコン通信基板２７又はメモリ制御回路３２からデータバス２８を介して入力されてくるデータが一時記録される。ＦＩＦＯメモリ６４ａによるデータは最初に入力されたものから最初に出力される。ＦＩＦＯメモリ６４ａの出力段には内部バス６５ａを介在して第２のインタフェース部６６が接続される。
【０１０５】
また、インタフェース部６６の内部への出力段にはＦＩＦＯメモリ６４ｂが接続され、上述した理由からデータバス２９より入力されたデータが一時記録される。このＦＩＦＯメモリ６４ｂの出力段には内部バス６５ｂを介在してインタフェース部６３が接続される。インタフェース部６３の外部への出力段にはデータバス２８が接続され、ＦＡＸ基板２６による画像形成手段１８の使用要求データなどがデータバス２９を介してホストブリッジ８２に出力される。
【０１０６】
更に、上述の２つのインタフェース部６３及びインタフェース６６間には制御用のメモリ６７が接続され、このメモリ６７はＣＰＵバス８４に接続されている。このメモリ６７にはＣＰＵ８１からの、例えば、画像形成手段１８を使用させる制御命令Ｄ１などが一時記録される。この例でメモリ６７はコマンドレジスタ６７ａ及びステータスレジスタ６７ｂを有しており、上述の制御命令Ｄ１がこのコマンドレジスタ６７ａに記録される。
【０１０７】
このホストブリッジ８２へのアクセス方法には、一義的に決めたチップセレクト信号を使用したり、アドレスデコード方式が使用される。アドレスデコード方式では、図示しないＲＯＭなどに予めマッピンクされたアドレスＡｄｄが、アクセス時に、ＣＰＵ８１などによって、データバス２８上にドライブされる。これにより、ホストブリッジ８２内のコマンドレジスタ６７ａに制御命令Ｄ１を設定して、そのホストブリッジ８２内でそのアドレスをデコードすることによりアクセスを受け付けるようになされる。以降の説明では、後者の場合を想定して説明をする。
【０１０８】
例えば、インタフェース部６３又はインタフェース部６６内にはインタフェース制御部６８が設けられ、コマンドレジスタ６７ａに記録された制御命令Ｄ１に基づいてＦＩＦＯメモリ６４ａ，６４ｂのデータ書き込み読み出し制御が行われ、インタフェース部６３、６６、内部バス６５ａ，６５ｂの入出力が制御される。この例では、ステータスレジスタ６７ｂには制御通知情報が一時記録される。
【０１０９】
この制御通知情報は制御命令Ｄ１に関して実行されたデータ転送結果などを示す終了ステータスデータのようなものであり、ＣＰＵ８１はこの終了ステータスデータを受信することで、先にホストブリッジ８２に与えた制御命令Ｄ１に対するデータ処理が終了したかを判断することができる。なお、パソコン通信基板２７内のＰＣｉブリッジ２７ａについてはホストブリッジとほぼ同じ構成を採るのでその説明を省略する。
【０１１０】
続いて、ホストブリッジ８２の動作を説明する。この例では、パソコン通信基板２７からメモリ制御回路３２へ画像データを転送する場合に、ＰＣｉブリッジ２７ａからデータバス２８を介してホストブリッジ８２に使用要求が出されると、ＣＰＵ８１からの制御命令Ｄ１がホストブリッジ８２のコマンドレジスタ６７ａに書き込まれると共に、ＰＣｉブリッジ２７ａ内の図示しないコマンドレジスタにこの制御命令Ｄ１が書き込まれる。
【０１１１】
つまり、ホストブリッジ８２のインタフェース制御部６８に制御命令Ｄ１が受信されると、この制御命令Ｄ１がそのインタフェース制御部６８でデコードされ、このデコード結果に基づいて内部バス６５ａがデータバス２９に接続される。そして、データバス２８から入力された使用要求データなどがＦＩＦＯメモリ６４ａに一時記録される。これはデータバス２８上のデータ転送速度とデータバス２９上のデータ転送速度とを整合させるためである。このＦＩＦＯメモリ６４ａに最初に記録されたデータから順に読み出され、インタフェース部６６を通過してデータバス２９に出力される。
【０１１２】
また、データバス２９からデータバス２８へデータを転送する場合には、その旨の制御命令Ｄ１がホストブリッジ８２内のコマンドレジスタ６７ａに書き込まれる。この制御命令Ｄ１がそのインタフェース制御部６８に受信されると、その制御部６８でデコードされ、このデコード結果に基づいてインタフェース部６３ではデータバス２８が内部バス６５ｂに接続され、インタフェース部６６では内部バス６５ｂがデータバス２９に接続される。
【０１１３】
そして、データバス２９から入力されたデータはＦＩＦＯメモリ６４ｂに一時記録され、データバス２８及びデータバス２９のデータ転送速度がマッチングされる。このＦＩＦＯメモリ６４ｂに最初に記録されたデータから順に読み出され、インタフェース部６３を通過してデータバス２８に出力される。
【０１１４】
このデータ転送が終了すると、ホストブリッジ８２内のステータスレジスタ６７ｂにはパソコン通信基板２７のＰＣｉブリッジ２７ａから終了ステータスデータが書き込まれる。なお、ステータスレジスタ６７ｂにはホストブリッジ８２自身の終了ステータスデータＤ２が書き込まれることは勿論のこと、メモリ制御回路３２などからの終了ステータスデータを記録するようになされている。このようにすると、ＣＰＵ８１がホストブリッジ８２のステータスレジスタ６７ｂの記録内容を確認することで、メモリ制御回路３２や、パソコン通信基板２７に与えた制御命令Ｄ１に対するデータ処理が終了したかを容易に判断することができる。
【０１１５】
続いて、メモリ制御回路３２の内部構成例について説明する。図７はメモリ制御回路３２の構成例を示すブロック図である。この例のメモリ制御回路３２は上述したホストブリッジ８２に、内部バスセレクタ４８及び書込み読出し制御部６９などを付加したものである。インタフェース部６３は図４に示した内部バスＡ及び内部バスＣに接続され、インタフェース部６６は内部バスＢ及び内部バスＤに接続して使用される。内部バスＡは圧縮伸張回路３４に接続され、内部バスＢは圧縮伸張回路３７に接続され、内部バスＣは画像処理回路３５に接続され、内部バスＤは拡大縮小回路３８に接続されている。
【０１１６】
つまり、メモリ制御回路３２ではインタフェース部６３の内部バス６５ａ及びインタフェース部６６の内部バス６５ｂから分岐したメモリバス６２ａ、６２ｂが接続され、このメモリバス６２ａ、６２ｂにＦＩＦＯメモリ６３ａ、６３ｂを介して書込み読出し制御部６９が接続され、インタフェース部６３，６６で入出力されるデータが、制御命令Ｄ１に基づいて書き込み読み出し制御されるようにしたものである。なお、ホストブリッジ８２と同じ符号及び同じ名称のものは同じ機能を有するので、その説明を省略する。
【０１１７】
このメモリ制御回路３２には図７に示す内部バスセレクタ４８が設けられる。内部バスセレクタ４８はインタフェース部６３の出力段のＦＩＦＯメモリ６４ａとインタフェース部６６の入力段の内部バス６５ａとの間であって、インタフェース部６６の出力段のＦＩＦＯメモリ６４ｂとインタフェース部６３の入力段の内部バス６５ｂとの間に接続されている。
【０１１８】
この内部バス６５ａ及び内部バス６５ｂから分岐される書き込み用のメモリバス６２ａにはＦＩＦＯメモリ６３ａが接続され、内部バス６５ａ又は内部６５ｂから分岐された書き込み用の画像データが一時記憶される。このＦＩＦＯメモリ６３ａの出力段には書込み読出し制御部６９が接続され、内部バス６５ａ又は６５ｂから分岐された画像データの書き込み読み出し制御が行われる。この書込み読出し制御部６９の外部への出力段には画像メモリ３３が接続される。
【０１１９】
また、書込み読出し制御部６９の内部への出力段にはＦＩＦＯメモリ６３ｂが接続され、内部バス６５ａ又は内部バス６５ｂへ出力するための読み出し用の画像データが一時記憶される。このＦＩＦＯメモリ６３ｂの出力段には読み出し用のメモリバス６２ｂが接続される。このメモリバス６２ｂは内部バスセレクタ４８に接続され、その内部では内部バス６５ａを通じてインタフェース部６６の入力段に接続されると共に、内部バス６５ｂを通じてインタフェース部６３の入力段に接続される。
【０１２０】
上述のインタフェース部６３又はインタフェース部６６内にはインタフェース制御部６８が設けられ、コマンドレジスタ６７ａに記録された制御命令Ｄ１に基づいてＦＩＦＯメモリ６４ａ，６４ｂ及び６３ａ，６３ｂのデータ書き込み読み出し制御と、インタフェース部６３、６６、内部バス６５ａ，６５ｂの入出力制御と、内部バスセレクタ４８の切替え制御などが行われる。
【０１２１】
続いて、メモリ制御回路３２の動作を説明する。この例では以下の９つのデータ転送事象に関する制御命令Ｄ１がメモリ制御回路３２内のコマンドレジスタ６７ａに書き込まれるようになされたものである。このデータ転送事象は、
▲１▼  内部バスＡ（Ｃ又はＥでもよく、この例では、Ａについて説明する）から内部バスＢ（Ｄ又はＦでもよく、この例では、Ｂについて説明する）へ画像データを転送（データスルー）する場合、
▲２▼  内部バスＡから画像メモリ３３へ画像データを書き込む場合、
▲３▼  内部バスＡから画像メモリ３３へ画像データを書き込むと同時に内部バスＢへ同じ画像データを転送する場合、
▲４▼  内部バスＢから内部バスＡへ画像データを転送（データスルー）する場合、
▲５▼  内部バスＢから画像メモリ３３へ画像データを書き込む場合、
▲６▼  内部バスＢから画像メモリ３３へ画像データを書き込むと同時に内部バスＡへ同じ画像データを転送する場合、
▲７▼  画像メモリ３３から内部バスＡへ画像データを読み出す場合、
▲８▼  画像メモリ３３から内部バスＢへ画像データを読み出す場合、及び
▲９▼  画像メモリ３３から内部バスＡ及び内部バスＢへ同じ画像データを読み出す場合である。
【０１２２】
例えば、データ転送事象▲１▼に関する制御命令Ｄ１がメモリ制御回路３２内のコマンドレジスタ６７ａに書き込まれた場合には、この制御命令Ｄ１がそのインタフェース制御部６８に受信されると、この制御命令Ｄ１がインタフェース制御部６８でデコードされ、このデコード結果に基づいてインタフェース部６３では内部バスＡが内部バス６５ａに接続され、インタフェース部６６では同様にして内部バス６５ａが内部バスＢに接続される。
【０１２３】
内部バスセレクタ４８ではその制御命令Ｄ１のデコード結果に基づいてメモリバス６２ａが内部バス６５ａから切り離され、同様にして内部バスセレクタ４８ではデコード結果に基づいてメモリバス６２ｂが内部バス６５ｂから切り離される。そして、内部バスＡから入力された画像データはＦＩＦＯメモリ６４ａに一時記録される。このＦＩＦＯメモリ６４ａに最初に記録された画像データから順にデコード結果に基づいて読み出され、インタフェース部６６を通過して内部バスＢに出力される。これにより、内部バスＡから内部バスＢへ画像データを転送（データスルー）することができる。
【０１２４】
また、データ転送事象▲２▼に関する制御命令Ｄ１がメモリ制御回路３２内のコマンドレジスタ６７ａに書き込まれた場合には、そのインタフェース制御部６８のデコード結果に基づいて内部バスＡが内部バス６５ａに接続され、内部バスセレクタ４８ではそのデコード結果に基づいてメモリバス６２ａと内部バス６５ａとが接続される。
【０１２５】
そして、内部バスＡから入力された画像データはそのデコード結果に基づいてＦＩＦＯメモリ６４ａに一時記録される。このＦＩＦＯメモリ６４ａに最初に記録された画像データから順にＦＩＦＯメモリ６３ａに記録される。ＦＩＦＯメモリ６３ａに記録された画像データはそのデコード結果に基づいて読み出され、画像メモリ３３に書き込まれる。
【０１２６】
このとき、メモリバス６２ｂは内部バス６５ｂから切り離されたままである。この場合に内部バスＢと内部バス６５ａ，６５ｂとはどのような接続の仕方をしていてもよい。これにより、内部バスＡから画像メモリ３３へ画像データを書き込むことができる。
【０１２７】
更に、データ転送事象▲３▼に関する制御命令Ｄ１がメモリ制御回路３２内のコマンドレジスタ６７ａに書き込まれた場合には、そのインタフェース制御部６８のデコード結果に基づいて内部バスＡが内部バス６５ａに接続され、そのデコード結果に基づいて内部バス６５ａが内部バスＢに接続される。内部バスセレクタ４８ではそのデコード結果に基づいてメモリバス６２ａと内部バス６５ａとが接続される。
【０１２８】
そして、内部バスＡから入力された画像データはデコード結果に基づいてＦＩＦＯメモリ６４ａに一時記録される。このＦＩＦＯメモリ６４ａに最初に記録された画像データから順にＦＩＦＯメモリ６３ａに記録される。これと共に、ＦＩＦＯメモリ６４ａに記録された画像データが内部バスＢに出力される。ＦＩＦＯメモリ６３ａに記録された画像データはそのデコード結果に基づいて読み出され、画像メモリ３３に書き込まれる。これにより、内部バスＡから画像メモリ３３へ画像データを書き込むと同時に内部バスＢへ同じ画像データを転送することができる。
【０１２９】
また、データ転送事象▲４▼に関する制御命令Ｄ１がメモリ制御回路３２のコマンドレジスタ６７ａに書き込まれた場合には、そのインタフェース制御部６８のデコード結果に基づいて内部バスＡが内部バス６５ｂに接続され、そのデコード結果に基づいて内部バス６５ｂが内部バスＢに接続される。内部バスセレクタ４８ではそのデコード結果に基づいてメモリバス６２ａが内部バス６５ａから切り離され、同様に内部バスセレクタ４８ではそのデコード結果に基づいてメモリバス６２ｂが内部バス６５ｂから切り離される。
【０１３０】
そして、内部バスＢから入力された画像データはそのデコード結果に基づいてＦＩＦＯメモリ６４ｂに一時記録される。このＦＩＦＯメモリ６４ｂに最初に記録された画像データから順にそのデコード結果に基づいて読み出され、インタフェース部６３を通過して内部バスＡに出力される。これにより、内部バスＢから内部バスＡへ画像データを転送（データスルー）することができる。
【０１３１】
次に、データ転送事象▲５▼に関する制御命令Ｄ１がメモリ制御回路３２内のコマンドレジスタ６７ａに書き込まれた場合には、そのインタフェース制御部６８のデコード結果に基づいて内部バスＢが内部バス６５ｂに接続され、内部バスセレクタ４８ではそのデコード結果に基づいてメモリバス６２ａと内部バス６５ａとが接続される。
【０１３２】
そして、内部バスＢから入力された画像データはそのデコード結果に基づいてＦＩＦＯメモリ６４ｂに一時記録される。このＦＩＦＯメモリ６４ｂに最初に記録された画像データから順にＦＩＦＯメモリ６３ａに記録される。ＦＩＦＯメモリ６３ａに記録された画像データはそのデコード結果に基づいて読み出され、画像メモリ３３に書き込まれる。
【０１３３】
このとき、メモリバス６２ｂは内部バス６５ｂから切り離されたままである。この場合に内部バスＡと内部バス６５ａ，６５ｂとはどのような接続の仕方をしていてもよい。これにより、内部バスＢから画像メモリ３３へ画像データを書き込むことができる。
【０１３４】
また、データ転送事象▲６▼に関する制御命令Ｄ１がメモリ制御回路３２内のコマンドレジスタ６７ａに書き込まれた場合には、そのインタフェース制御部６８のデコード結果に基づいて内部バスＡが内部バス６５ｂに接続され、そのデコード結果に基づいて内部バス６５ｂが内部バスＢに接続される。内部バスセレクタ４８ではそのデコード結果に基づいてメモリバス６２ａと内部バス６５ａとが接続される。
【０１３５】
そして、内部バスＢから入力された画像データは制御命令Ｄ１のデコード結果に基づいてＦＩＦＯメモリ６４ｂに一時記録される。このＦＩＦＯメモリ６４ｂに最初に記録された画像データから順にＦＩＦＯメモリ６３ａに記録される。これと共に、ＦＩＦＯメモリ６４ｂに記録された画像データが内部バスＡに出力される。ＦＩＦＯメモリ６３ａに記録された画像データはそのデコード結果に基づいて読み出され、画像メモリ３３に書き込まれる。これにより、内部バスＢから画像メモリ３３へ画像データを書き込むと同時に内部バスＡへ同じ画像データを転送することができる。
【０１３６】
また、データ転送事象▲７▼に関する制御命令Ｄ１がメモリ制御回路３２のコマンドレジスタ６７ａに書き込まれた場合には、そのインタフェース制御部６８のデコード結果に基づいて内部バスＡが内部バス６５ｂに接続され、内部バスセレクタ４８ではそのデコード結果に基づいてメモリバス６２ｂと内部バス６５ｂとが接続される。
【０１３７】
そして、画像メモリ３３から読み出された画像データは制御命令Ｄ１のデコード結果に基づいてＦＩＦＯメモリ６３ｂに一時記録される。このＦＩＦＯメモリ６３ｂに最初に記録された画像データから順にインタフェース部６３を通って内部バスＡに出力される。このとき、メモリバス６２ａは内部バス６５ｂから切り離された状態である。この場合に、内部バス６５ｂはそのデコード結果に基づいて内部バスＢから切り離されている。これにより、画像メモリ３３から内部バスＡへ画像データを読み出すことができる。
【０１３８】
また、データ転送事象▲８▼に関する制御命令Ｄ１がメモリ制御回路３２内のコマンドレジスタ６７ａに書き込まれた場合には、そのインタフェース制御部６８のデコード結果に基づいて内部バスＡが内部バス６５ａから切り離され、内部バスセレクタ４８ではそのデコード結果に基づいてメモリバス６２ｂと内部バス６５ａとが接続される。
【０１３９】
そして、画像メモリ３３から読み出された画像データはそのデコード結果に基づいてＦＩＦＯメモリ６３ｂに一時記録される。この画像データはＦＩＦＯメモリ６３ｂに最初に記録されたものから順にインタフェース部６６を通って内部バスＢに出力される。このとき、メモリバス６２ａは内部バス６５ｂから切り離された状態である。この場合に、内部バス６５ａは制御命令Ｄ１のデコード結果に基づいて内部バスＡから切り離されている。これにより、画像メモリ３３から内部バスＢへ画像データを読み出すことができる。なお、データ転送事象▲１▼〜▲６▼，▲８▼に関する制御命令Ｄ１を実行する場合には、その制御命令Ｄ１のデコード結果によって内部バスセレクタ４８の一部スイッチ機能がオフした状態が保たれる。
【０１４０】
また、データ転送事象▲９▼に関する制御命令Ｄ１がメモリ制御回路３２のコマンドレジスタ６７ａに書き込まれた場合には、そのインタフェース制御部６８のデコード結果に基づいて内部バスＡが内部バス６５ｂに接続されると共に、そのデコード結果に基づいて内部バスＢが内部バス６５ａに接続される。しかも、内部バスセレクタ４８ではそのデコード結果に基づいてメモリバス６２ｂと内部バス６５ａとが接続され、そのデコード結果に基づいて先にオフされていた内部バスセレクタ４８のスイッチ機能がオンされて内部バス６５ａ及び内部６５ｂが短絡される。
【０１４１】
そして、画像メモリ３３から読み出された画像データはそのデコード結果に基づいてＦＩＦＯメモリ６３ｂに一時記録される。このＦＩＦＯメモリ６３ｂに最初に記録された画像データから順にインタフェース部６３を通って内部バスＡに出力されると共に、インタフェース部６６を通って内部バスＢに出力される。このとき、メモリバス６２ａは内部バス６５ａ，６５ｂから切り離された状態である。これにより、画像メモリ３３から内部バスＡ及び内部バスＢへ同じ画像データを読み出すことができる。これらのいずれかのデータ転送事象▲１▼〜▲９▼が終了すると、メモリ制御回路３２内のステータスレジスタ６７ｂにはデータ転送結果を通知するために終了ステータスデータＤ２が書き込まれる。
【０１４２】
続いて、画像メモリ３３の内部メモリ領域の構成例について説明する。図８は画像メモリ３３のコピー／プリンタ領域及びＦＡＸ領域の割り当て例を示す概念図である。この例では、複写機能用及びプリンタ機能用としてコピー／プリンタ領域３３Ａが割り当てられ、ファクシミリ機能用としてＦＡＸ領域３３Ｂが割り当てられている。この例では、画像メモリ３３には記憶保持動作が必要なＤＲＡＭなどを使用するとよい。
【０１４３】
このコピー／プリンタ領域３３Ａには、自動原稿給紙読取装置４０によって読み取られた原稿画像データが圧縮伸張回路３４又は３７で圧縮され、その後の圧縮画像データが記憶される。この例で、コピー／プリンタ領域３３ＡはＦＡＸ領域３３Ｂに比べて大容量のメモリ領域が割り当てられ、ＦＡＸ領域３３Ｂの代行受信領域３３Ｃとして使用される。このコピー／プリンタ領域３３ＡとＦＡＸ領域３３Ｂのメモリ容量は、ユーザの使用環境に合わせて、オペレータやサービスマンが操作部８６によって自由に予め設定できるようにしてもよい。
【０１４４】
例えば、図８に示す画像メモリ３３には全体で１６Ｍバイトのメモリ容量が準備されている。コピー／プリンタ領域３３Ａには、標準で１４Ｍバイトが割り当てられ、ＦＡＸ領域３３Ｂには２Ｍバイトが割り当てられる。複写機能ではＦＡＸ領域３３Ｂを含めて最大１６Ｍバイトのメモリ領域をコピー／プリンタ領域３３Ａとして使用できる。ＦＡＸ領域３３Ｂには原稿送信時の送信画像データと、画像形成手段１８が正常であるときの受信画像データとが保存され、異常時の受信画像データは代行受信領域３３Ｃに保存される。
【０１４５】
このＦＡＸ領域３３Ｂは最大で８Ｍバイトまで拡張することができる。そのために、通常のＦＡＸ領域３３Ｂと代行受信領域３３Ｃの計８Ｍバイトのメモリ領域は電源がバックアップされている。この領域を以後、電源バックアップ領域（ＥＢＡ）という。この例では、万が一落雷等により電源が切れても、この８Ｍバイトのメモリ領域の画像データを長時間保持するようになされている。
【０１４６】
この代行受信領域３３Ｃには優先的に電源バックアップ領域を確保するようにＣＰＵ８１によって管理されている。電源バックアップ領域が満杯になるような事態が発生した場合には、代行受信領域３３Ｃは非電源バックアップ領域まで拡張して行く。このような状態下で電源が遮断された場合に、その非電源バックアップ領域に格納されたデータのみが消滅する。
【０１４７】
この例では、ファクシミリ時の画像データがファイル管理される。例えば、画像メモリ３３に入力された画像データはページ単位で管理され、ファイル＃、受信開始時刻、受信情報（ファイル種別、受信紙幅、受信解像度、受信状態／００：空き、０１：受信中、１０：受信済み）、通常受信ファイル数、代行受信ファイル数の項目により、各ファイルが管理されている。従って、画像形成手段１８が正常に復帰した際に、受信開始時刻の早いものから順にファイル単位（ページ単位）に画像メモリ３３から読み出された画像データがＦＡＸ基板２６を経て画像形成手段１８に供給され、その画像データが画像形成手段１８によって記録紙上にプリントアウトされる。
【０１４８】
続いて、ＦＡＸ基板２６の内部構成例について説明する。図９はＦＡＸ基板２６の内部構成例を示すブロック図である。図９に示すＦＡＸ基板２６はネットワークコントロールユニット（網制御装置：以下ＮＣＵ６０１という）、通信モデム６０２、ＦＡＸシステム６００、デュアルポートＲＡＭ６０７及び制御用ＣＰＵ６１０などを有しており、所定の通信制御手順に従ってデータ通信が行われる。
【０１４９】
この通信回線にはＮＣＵ６０１が接続され、ＮＴＴなどの公衆網との間で、当該複合機２００からの発呼、不特定多数の相手方からの着呼、復旧、切断処理などの接続制御が行われる。例えば、このＮＣＵ６０１によってリング検出が行われ、相手方が発呼した送信要求が受信される。
【０１５０】
このＮＣＵ６０１には通信モデム６０２が接続され、受信時には、公衆網によって伝送されてきた変調信号が復調されてデジタルの符号化画像データに変換されたり、その送信時には、公衆網の周波数帯に整合するように符号化画像データが変調されて変調信号に変換される。通信モデム６０２にはＦＡＸシステム６００及び制御用ＣＰＵ６１０が接続されている。ＦＡＸシステム６００は入出力バッファ６０３、コーディック（ＣＯＤＥＣ）バッファ６０４、コーディックラインバッファ６０５、Ｉ／Ｏインタフェース部６０６、縮小用のラインバッファ６０８及び縮小ゲートアレイ６０９を有している。これらは制御用ＣＰＵ６１０によって制御される。
【０１５１】
この通信モデム６０２に接続された入出力バッファ６０３では、受信時には、通信モデム６０２からの符号化画像データがデジタル化されて出力される。この入出力バッファ６０３にはコーディックバッファ６０４が接続され、受信時の符号化画像データを復号化して伸張した復号化画像データ（以下受信画像データＤinという）が出力される。コーディックバッファ６０４にはコーディックラインバッファ６０５が接続され、受信画像データＤinがデジタル化されてＩ／Ｏインタフェース部６０６に出力される。Ｉ／Ｏインタフェース部６０６にはデュアルポートＲＡＭ６０７が接続され、受信画像データＤinがデータバス２９に出力される。この受信画像データＤinは図４に示した画像処理回路３５、伸張圧縮回路３４、３７又は拡大縮小回路３８に出力される。
【０１５２】
このＦＡＸ基板２６の送信時には、データバス２９からデュアルポートＲＡＭ６０７を介してＩ／Ｏインタフェース部６０６に送信画像データが取り込まれる。Ｉ／Ｏインタフェース部６０６にはシステムによって画像の縮小用のラインバッファ６０８が接続される場合があり、そのラインバッファ６０８には画像縮小ゲートアレイが接続されている。そして、送信時には送信画像データがラインバッファを介して画像縮小ゲートアレイ６０９で送信画像データが縮小される。縮小された送信画像データはラインバッファ６０８を介してコーディックラインバッファ６０５に出力される。
【０１５３】
このコーデイックラインバッファ６０５では、ラインバッファ６０８からの送信画像データを符号化して圧縮した画像データ（以下符号化画像データＤoutという）がコーディックバッファ６０４に出力される。コーデックバッファ６０４では符号化画像データＤoutをデジタル化して入出力バッファ６０３に出力される。入出力バッファ６０３では、コーデックバッファ６０４からの符号化画像データＤoutが通信モデム６０２に出力される。通信モデム６０２では、公衆網の周波数帯に整合するように符号化画像データＤoutが変調されて変調信号に変換され、その変調信号がＮＣＵ６０１を介して通信回線に出力される。
【０１５４】
続いて、操作部８６及び表示部８７について説明する。図１０は操作部８６及び表示部８７の一例となる操作パネル９００の構成例を示す上から見た図である。図１０に示す操作パネル９００は一辺の角が丸みを帯びた長方形状を有しており、ユーザが操作し易いように、当該複写機２００の自動原稿給紙読取装置（図示せず）４０の手前付近の位置に取付けられている。
【０１５５】
この操作パネル９００上には、少なくとも、表示部８７及びモードチェンジキー８９が取付けられている。この例では表示部８７には液晶表示ディスプレイ（ＬＣＤ）が使用される。この他に表示部８７には、ＰＤＰ（Ｐlasma Ｄisplay Ｐanel）、電界発光ダイオードなどの平面表示素子を使用してもよく、これらの表示装置は操作パネル９００のほぼ中央に配置される。表示部８７には、利用者の入力操作性を良くするために、タッチパネルが表示画面上に取付けられる。
【０１５６】
この他に表示部８７の左側にはワンタッチダイヤル用の押しボタンスイッチ９０１がマトリクス状に配置され、ワンタッチ送信や同報通信などの特殊の通信モードを実行できるようになされている。表示部８７の右側にはモードチェンジキー８９が設けられ、例えば、モードチェンジキー８９の操作に応じて複写画面Ｐ１０、ファクシミリ画面Ｐ２０及びプリンタ画面Ｐ３０が順次、表示部８７にローテーション表示される。
【０１５７】
更に、表示部８７の右側にはモードチェンジキー８９の他に、数字の「１」〜「０」のテンキーや、「＊」キー、「＃」キーなどの電話番号入力用のキーボタン９０２、チェックボタン９０３、ヘルプボタン９０４、アプリケーションボタン９０５、プログラムボタン９０６、リセットボタン９０７、ストップ／クリアボタン９０８、割り込みコピーボタン９０９、電源スイッチ９１０、スタートボタン９１１などが配置されている。「１」〜「３」のテンキーの配置領域上には２つの発光ダイオードＬＥＤ１、ＬＥＤ２が取付けられ、ファイルやエラーを区別するような表示をできるようになされている。
【０１５８】
続いて、複写画面Ｐ１０の表示例について説明をする。図１１に示す複写画面Ｐ１０には、「コピーできます」のメッセージが表示され、その他に、コピー設定、画質、予約リスト、原稿読込などが同一画面上に表示される。コピー設定画面には、「画面選択」、「コピー濃度」、「倍率」、「サイズ選択」などが表示される。「画面選択」では、原稿の記録スタイルが選択できるようになされている。この例では「ＲＡＤＦ」をタッチすると、原稿の自動読み取りモードが設定できるようになされている。また、「両面→両面」を押下すると、原稿の両面を記録紙の両面に記録するモードを選択することができ、「両面→片面」、「片面→両面」又は「片面→片面」を押下すると、その表示に対応したモードで原稿を記録紙に記録することができる。
【０１５９】
「コピー濃度」では、画像データの記録時のコピー濃度（画像濃度ともいう）が任意に調整できるようになされている。この例では「任意１」又は「任意２」を選択できるようになされる。任意キーを選択した場合には、「白抜き三角」キー、「黒地三角」キー又は「普通」キーを押下することにより、コピー濃度が任意に調整できるようになる。因みに「白抜き三角」キーを押下すると、コピー濃度が淡くなる方向に設定され、「黒地三角」キーを押下すると、コピー濃度が濃くなる方向に設定される。これらのキー領域下には「自動」キーが設けられ、コピー濃度が自動調整されるようになされている。
【０１６０】
「倍率」では、画像データの記録時の画像形成サイズが任意に設定できるようになされている。この例では倍率表示をする表示エリアが設けられる。その他に、独立、ズーム、固定及び等倍などモードキーが用意され、例えば、等倍モードキーをタッチすると表示エリアに「１．００」が表示されるようになされている。
【０１６１】
「サイズ選択」では、記録紙のサイズが任意に設定できるようになされている。この例では多段給紙方式が採られるので、記録紙収納カセットのイメージ画面を表示する表示エリアが設けられる。記録紙給紙カセットは、例えば、５段用意され、第１段目にはＢ５サイズの記録紙が収納されていることが表示される。同様にして、第２段目にはＡ４Ｒサイズ、第３段目にはＡ４サイズ、第４段目にはＡ３サイズ、第５段目には予備のＡ４Ｒサイズの記録紙が収納されているイメージ画面が表示される。
【０１６２】
これらのサイズ表示領域下には、自動サイズキーが設けられ、原稿サイズを検出して指定の変倍率から適切な記録紙カセットを選択して記録するモードを設定できる。また、特定の記録紙収納カセットを指定したときに、そのカセットに収納された記録紙のサイズ情報を検出して、与えられた画像データをその記録紙のサイズに合うように変倍して記録するモードを設定できるようになされている。
【０１６３】
これにより、記録紙サイズ、原稿サイズの設定を簡単に行うことができる。なお、複写画面Ｐ１０内の右上側にはコピー枚数を計数する表示領域が設けられ、その下方領域には画像メモリの残量が％表示される。この例ではコピー枚数として「００１」が表示され、メモリ残量として「１００％」が表示されている。
【０１６４】
続いて、ファクシミリ画面Ｐ２０の表示例について説明をする。図１２に示すファクシミリ画面Ｐ２０には、「送信できます」のメッセージが表示され、その他に、「追加」キーや件数表示領域が設けられ、例えば、追加したい相手方の電話番号「０４２６−６０−９２８５」や、追加したい複数の宛先に送信するときに、追加キーを押下して相手先の電話番号を登録するようになされる。また、複数の相手先の件数「４件」などが表示される。
【０１６５】
また、これらの下方領域には「短縮」、「リダイヤル」、「オンフック」、「トーン」、「ポーズ」、「−」、「削除」などの選択キーが表示される。「短縮」は相手先の電話番号を短縮入力時に使用するタグ、「リダイヤル」は再送信に使用するタグ、「オンフック」は手動送信／手動受信時の回線捕捉に使用するタグ、「トーン」はパルス／トーン音の切替え時に使用するタグ、「ポーズ」はダイアル間休止や、ダイヤルトーン検出時に使用するタグ、「−」はダイヤル入力時にダイヤルＮ０のセパレータ（ハイフィン）として使用するタグ、「削除」は宛先入力データの１文字削除時などに使用するタグである。
【０１６６】
これらの表示領域下には「宛先表」、「原稿設定」、「設定」、「予約リスト」、「原稿読込」などが同一画面上に表示される。「宛先表」は待機画面を宛先選択画面に切替えるときに使用するタグ、「原稿設定」は待機画面を画質選択画面に切替える時に使用するタグ、「設定」は諸事項を登録するときに使用するタグ、「予約リスト」は複写機能、ファクシミリ機能又はプリンタ機能などの予約ジョブの動作状態表示画面を呼び出すために使用するタグ、「原稿読込」はプラテン原稿の複数枚送信時や、ＡＤＦ原稿／プラテン原稿の混載送信時等に原稿を読み込むときに使用するタグである。
【０１６７】
この例では「原稿設定」タグがタッチされて、原稿設定画面が表示されたものであり、ファクシミリ機能選択時の基本待機画面となる。この基本待機画面には、「ＲＡＤＦ」、「解像度」、「画質」、「濃度」などの属性が表示され、「ＲＡＤＦ」の下方領域には「表紙＋両面」、「両面」、「片面」などが表示される。「解像度」の下方領域には「高精細」、「精細」、「自動」が表示される。各々の表示に対応したモードで原稿を受信できるようになされている。
【０１６８】
「画質」の下方領域には「写真」、「文字写真」、「文字」が表示され、原稿の画質を設定できるようになされている。「濃度」の下方領域には「自動」、「濃く」、「普通」及び「淡く」が表示され、各々の表示に対応したコピー濃度で原稿を記録紙に記録できるようになされている。
【０１６９】
続いて、プリンタ画面Ｐ３０の表示例について説明をする。図１３に示すプリンタ画面Ｐ３０はプリンタ基本待機画面である。そのプリンタ画面Ｐ３０には、「プリントできます」のメッセージが表示される。この例では、メッセージエリアには半角３３文字の２段で構成された「プリントできます」又は「イニシャル中です」がプリンタ初期化中に表示される。プリント可能状態では、「プリントできます」のみが表示される。その他に、プリンタ画面Ｐ３０には「イニシャル」のアイコン領域、「プリンタ」、「強制排紙」、「予約リスト」、「設定」などの選択キーが表示される。
【０１７０】
「イニシャル」は当該プリンタの状態を示すアイコン領域であり、プリンタが初期化中であることを示すアイコンである。「プリント」のアイコン画面ではプリント中を示したり、「待機中」のアイコン画面でプリント可能状態を示す。その他、「エラー発生」を示すアイコンも準備されている。これらのアイコンには下位階層のアイコンが準備されている。例えば、当該プリンタの装置状態のアイコンとしては、図示しないスパナを象ったサービスマンコールの図柄や、トナー現像部を象ったトナー補給の図柄が準備されている。その他に、アウトプットのアイコンとしては、図示しない複数枚の記録紙を象ったグループの図柄や、ソート、フェイスアップの図柄が準備され、ステイプルアイコンとして、記録紙のステイプル箇所を示す図柄が準備されている。アイコンはプリンタ機能と複写機能とで共通である。
【０１７１】
「強制排紙」は記録紙をプリンタから強制的に排出するときに使用するタグ、「予約リスト」は複写機能、ファクシミリ機能又はプリンタ機能などのジョブ動作を確認する時に使用するタグである。この例では、「予約リスト」のタグによってジョブの強制終了、優先度の切替えを行うことができる。また、記録予測時間を分単位で表示される。「設定」はコントローラから諸事項を設定する場合や動作条件の登録を行うときに使用するタグである。この例では、「設定」のタグによってテストプリントを行うことができる。
【０１７２】
また、これらの下方領域には当該複合機１００のイメージ画面が表示され、その周辺の四隅にはパソコンのイメージ画面がそれぞれ表示され、ホストパソコンからデータを受信中には、あたかも、該当するパソコンから画像データが複合機１００に転送されているように三日月状のイメージ矢印が点滅表示するようになされている。なお、プリンタ画面Ｐ３０内の右上側にはプリント枚数を計数する表示領域が設けられ、その下方領域には画像メモリの残量が％表示されるようになされている。
【０１７３】
続いて、複写モード時の画面表示の遷移例について説明する。図１４は複写モード時の画面表示の遷移例を示す概念図である。この例では、図１４において、モードチェンジキー８９で、複写モードを選択すると、図１１に示した複写画面Ｐ１０が基本待機画面として表示部８７に表示される。この複写画面Ｐ１０には操作画面が表示されるので、ユーザはその操作画面上でコピー動作条件を設定することができる。この基本待機画面Ｐ１０上では遷移例Ｓ１１に示すように、他モードでのジョブの発生及び終了に関して動作アイコンの表示又は消去を行うことができる。
【０１７４】
また、基本画面Ｐ１０の操作画面をタッチしてジョブスタートをすると、プリントジョブが起動されて、基本待機画面Ｐ１１から動作画面Ｐ１３に表示が切り替えられる。また、動作画面Ｐ１３でコピー動作の終了すると、遷移例Ｓ１３で動作画面Ｐ１３から基本待機画面Ｐ１０に表示が戻るようになされている。
【０１７５】
更に、基本待機画面Ｐ１０の操作画面中でコピー予約ボタンが表示され、このボタンを選択すると、遷移例Ｓ１４で基本待機画面Ｐ１０から予約画面Ｐ１１に表示が切り替わる。予約画面Ｐ１１では予約待機画面及び予約操作画面が表示されるので、ユーザはその予約操作画面上でコピー予約を行うことができる。この予約画面Ｐ１１では遷移例Ｓ１５に示すように、他モードでのジョブの発生及び終了に関して動作アイコンの表示又は消去を行うことができる。
【０１７６】
更に、遷移例Ｓ１６に示すように、自／他モードで自動原稿給紙読取装置４０が使用中であった場合などにおいて、警告メッセージの表示又はコピースタートの拒否ができるようになされている。更にまた、遷移例Ｓ１７に示すように、モードリセットボタン９０７の押下により、上述の操作画面で設定した動作条件をリセットできるようになされている。なお、予約画面Ｐ１１で現在プリント動作中のジョブから終了すると、遷移例Ｓ１８でプリントアイコンが消去されて、予約画面Ｐ１１から基本待機画面Ｐ１０に表示が戻るようになされている。
【０１７７】
また、予約画面Ｐ１１において、スタートボタン９１１が押下されると、遷移例Ｓ１９で予約画面Ｐ１１から予約ジョブ動作画面Ｐ１２に表示が切り替えられる。この間に予約ジョブ動作画面の読み取り中のメッセージが表示部８７に表示される。その後、予約ジョブのコピー動作条件が読み取られてプリントジョブが登録されると、遷移例Ｓ２０で予約ジョブ動作画面Ｐ１２から動作画面Ｐ１３に表示が切り替わりプリント中の動作画面Ｐ１３が表示される。
【０１７８】
この遷移例Ｓ２０では、プリントジョブが既に終了していた場合には、予約ジョブのプリント動作が継続して行われる。予約ジョブのプリント使用順位の優先度が高い場合には、現ジョブを停止して予約ジョブのプリントをスタートさせることも可能である。例えば、パソコンによる画像データをプリントアウトしている際に、ユーザが急の原稿を複写したいという割り込み要求が入る場合があるからである。このときはユーザによって、割り込みコピーボタン９０９が押下される。
【０１７９】
また、予約画面Ｐ１１でプリントアイコンを押下することでも、遷移例Ｓ２１で予約画面Ｐ１１から動作画面Ｐ１３に表示が切り替わりプリント中の動作画面Ｐ１３が表示される。又は、予約画面Ｐ１１において、未操作でも、一定時間が経過すると、遷移例Ｓ２２でプリント動作中が表示され、予約画面Ｐ１１から動作画面Ｐ１へ表示が切り替わりプリント中の動作画面Ｐ１３が表示される。なお、動作画面Ｐ１３で予約ボタンを押下すると、遷移例Ｓ２３で動作画面Ｐ１３から予約画面Ｐ１１に表示が切り替わり予約操作が可能となる。
【０１８０】
この例では、動作画面Ｐ１３で自動原稿給紙読取装置４０に原稿をセットすると、遷移例Ｓ２４で動作画面Ｐ１３から予約画面Ｐ１１に表示が切り替わり予約画面が表示される。反対に、予約画面Ｐ１１で自動原稿給紙読取装置４０にセットされた原稿が引き抜かれて、原稿載置部４１に原稿が無い状態になると、遷移例Ｓ２４で予約画面Ｐ１１から動作画面Ｐ１３に表示が戻るようになされている。
【０１８１】
続いて、ファクシミリモード時の画面表示の遷移例について説明する。図１５はファクシミリモード時の画面表示の遷移例を示す概念図である。この例では、図１０に示した操作パネル９００のモードチェンジキー８９で、「ＦＡＸ」モードを選択すると、図１２に示したファクシミリ画面Ｐ２０が基本待機画面として表示部８７に表示される。
【０１８２】
このファクシミリ画面Ｐ２０には操作画面、テンキー、短縮、ワンタッチ、複数宛先、リダイヤルなどが表示されるので、ユーザはその操作画面上でファクシミリの動作条件を設定することができる。この基本待機画面Ｐ２０上では遷移例Ｒ１１に示すように、他モードでのジョブの発生及び終了に関して動作アイコンの表示又は消去を行うことができる。
【０１８３】
また、操作パネル９００のスタートボタン９１１を押下すると通信ジョブが起動されて、基本待機画面Ｐ２０から通信動作画面Ｐ２４に表示が切り替えられる。また、通信動作画面Ｐ２４で送信を終了すると、遷移例Ｒ１３で通信動作画面Ｐ２４から基本待機画面Ｐ２０に表示が戻るようになされている。
【０１８４】
更に、基本待機画面Ｐ２０の操作画面中に通信が開始されると、遷移例Ｒ１４で基本待機画面Ｐ２０から予約画面Ｐ２１に表示が切り替わる。予約画面Ｐ２１は予約待機画面及び予約操作画面が表示されるので、ユーザはその操作画面上で通信予約を行うことができる。この予約画面Ｐ２１では遷移例Ｒ１５に示すように、他モードでのプリントジョブの発生及び終了に関してプリントアイコンの表示又は消去を行うことができる。
【０１８５】
また、遷移例Ｒ１６に示すように、自／他モードで自動原稿給紙読取装置４０が使用中である場合などにおいて、警告メッセージの表示又はスタートキーの拒否ができるようになされている。更にまた、遷移例Ｒ１７に示すように、モードリセットボタン９０７の押下により、上述の予約操作画面で設定した動作条件をリセットできるようになされている。なお、予約画面Ｐ２１で通信動作中のジョブが終了すると、遷移例Ｒ１８で通信アイコンが消去されて、予約画面Ｐ２１から基本待機画面Ｐ２０に表示が戻るようになされている。
【０１８６】
この予約画面Ｐ２１において、スタートボタン９１１が押下されると、原稿読取りが開始されて遷移例Ｒ１９で予約画面Ｐ２１の予約ジョブ動作画面Ｐ２２に表示が切り替えられる。この間に予約ジョブ動作画面の読み取り中のメッセージが表示部８７に表示される。その後、予約ジョブの通信動作条件が読み取られてその送信ジョブが登録されると、遷移例Ｒ２０で予約ジョブ動作画面Ｐ２２から通信動作画面Ｐ２４に表示が切り替わり通信動作が表示される。
【０１８７】
この遷移例Ｒ２０では、通信ジョブが既に終了していた場合には、予約ジョブの送信動作が継続して行われる。予約ジョブの送信順位の優先度が高い場合には、現ジョブを終了した後に、他の送信ジョブに先立て予約ジョブの送信をスタートさせることも可能である。
【０１８８】
また、予約画面Ｐ２１で通信アイコンを押下することでも、遷移例Ｒ２１で予約画面Ｐ２１から通信動作画面Ｐ２４に表示が切り替わり通信動作が表示される。又は、予約画面Ｐ２１において、未操作でも、一定時間が経過すると、遷移例Ｒ２２で通信動作中が表示され、予約画面Ｐ２１から通信動作画面Ｐ２４に表示が切り替わり通信動作が開始される。なお、通信動作画面Ｐ２４で予約ボタンを押下すると、通信アイコンが表示され、遷移例Ｒ２３で通信動作画面Ｐ２４から予約画面Ｐ２１に表示が切り替わり通信予約操作が可能となる。
【０１８９】
この例では、通信動作画面Ｐ２４で自動原稿給紙読取装置４０に原稿をセットすると、遷移例Ｒ２４で通信動作画面Ｐ２４から予約画面Ｐ２１に表示が切り替わり通信動作が可能となる。反対に、予約画面Ｐ２１で自動原稿給紙読取装置４０にセットされた原稿が引き抜かれて、原稿載置部４１に原稿が無い状態になると、遷移例Ｒ２４で予約画面Ｐ２１から通信動作画面Ｐ２４に表示が戻るようになされている。
【０１９０】
更に、予約画面Ｐ２１で通信アイコンを押下すると、遷移例Ｒ２５で予約画面Ｐ２１からプリント動作画面Ｐ２３に表示が切り替わりプリント動作が表示される。又は、予約画面Ｐ２１において、未操作でも、一定時間が経過すると、遷移例Ｒ２６で、予約画面Ｐ２１からプリント動作画面Ｐ２３に表示が切り替わりプリント動作が表示される。なお、プリント動作画面Ｐ２３で他の通信がスタートすると、遷移例Ｒ２９で通信アイコンが表示される。そして、他の通信有りでそのプリントが終了されると、遷移例Ｒ３０でプリント動作画面Ｐ２３から通信動作画面Ｐ２４に表示が切り替えられ、通信動作が表示される。
【０１９１】
なお、通信動作画面Ｐ２４は、相手方からの画像データを受信するときにも、表示される。従って、その通信動作画面Ｐ２４で画像データが受信終了すると、遷移例Ｒ３１で通信動作画面Ｐ２４からプリント動作画面Ｐ２３に表示が遷移するようになされる。その後、プリント動作画面Ｐ２３で受信原稿データに係るプリントアウト又は他の通信無しの場合には、遷移例Ｒ３２でプリント動作画面Ｐ２３から基本待機画面Ｐ２０に表示が戻される。
【０１９２】
続いて、図１６〜図２８を参照しながら、複合機２００の動作を説明する。この例では、以下について説明する。
【０１９３】
［１］．複写機能に関しては、
１−１．スーパーファインコピー時、
１−２．メモリコピー回転無し時、
１−３．メモリコピー回転有り時
１−４．メモリコピー２ｉｎ１時、
１−５．メモリコピーブックレット時
１−６．ＦＣＯＴコピー時、及び、
１−７．リストプリント時の動作を説明する。
【０１９４】
［２］．ファクシミリ機能に関しては、
２−１．メモリファックス送信回転無し時、
２−２．メモリファックス送信回転有り時、
２−３．メモリファックス・クイック送信時、
２−４．メモリファックス・クイック送信回転有り時、及び、
２−５．ファクシミリ受信時の動作を説明する。
【０１９５】
［３］．プリント機能に関しては、パソコン通信時のプリントアウトの動作を説明する。
【０１９６】
１−１．スーパーファインコピー時
図１６は複合機２００のスーパーファインコピー時の動作例を示すブロック図である。図１６に示す黒矢印で示した部分が画像データの流れを示している。以下図１７〜図２８においても、同じ黒矢印で表示する。
【０１９７】
この例では、操作部８６からＩ／Ｏポート８５、データバス２８及びホストブリッジ８２を介してＣＰＵ８１に、ユーザからの「スーパーファインコピー」の要求、又は、自動原稿給紙読取装置（以下ＡＤＦという）４０に原稿が載置されると、ＡＤＦ４０で読み取られた数ライン分の画像データが、入出力タイミングを整合するために、一旦ＦＩＦＯメモリ３６ａを経由した後に、画像処理回路３５に入力される。
【０１９８】
そして、画像処理回路３５ではＡＤＦ４０から受け取った画像データが、所定の画像処理を施された後に、画像形成手段１８に直接送られる。従って、圧縮伸張回路３４や、メモリ制御回路３２や、画像メモリ３３を通ることなく、データ処理されるので、高速に原稿画像を図５に示した記録紙３０などに形成することができる。
【０１９９】
１−２．メモリコピー回転無し時
図１７は複合機２００のメモリコピー回転無し時の動作例を示すブロック図である。この例では、操作部８６を介して上述と同様にしてＣＰＵ８１に、ユーザからの通常のコピー要求がなされると、ＡＤＦ４０で読み取られた数ライン分の画像データが、同様にしてＦＩＦＯメモリ３６ａを経由しては画像処理回路３５に入力される。
【０２００】
この画像処理回路３５ではＡＤＦ４０から受け取った画像データが、所定の画像処理を施されては、ＦＩＦＯメモリ３６ｂを経由して圧縮伸張回路３４に転送される。圧縮伸張回路３４では画像データが圧縮された後に、メモリ制御回路３２の制御を受けて、画像メモリ３３のコピー／プリント領域３３Ａなどに圧縮画像データが転送されて格納される。
【０２０１】
そして、画像形成手段１８の使用権が得られると、画像メモリ３３から圧縮伸張回路３４へ圧縮画像データが読み出される。圧縮伸張回路３４では圧縮画像データが伸張された後に、メモリ制御回路３２の制御を受けて、画像処理回路３５に入力される。
【０２０２】
この画像処理回路３５では、所定の画像処理を施した後に、ＦＩＦＯメモリ３６ｃを経由しては入出力のタイミングが整えられる。この画像データはＦＩＦＯメモリ３６ｃから画像形成手段１８に順次読み出されるので、図５に示した記録紙３０などに回転処理を伴わない原稿画像を形成することができる。
【０２０３】
１−３．メモリコピー回転有り時
図１８は複合機２００のメモリコピー回転有り時の動作例を示すブロック図である。この例では、操作部８６を介して上述と同様にしてＣＰＵ８１に、ユーザからの通常のコピー要求がなされると、ＡＤＦ４０で読み取られた数ライン分の画像データが、ＦＩＦＯメモリ３６ａを経由しては画像処理回路３５に入力される。
【０２０４】
そして、例えば、予め準備された記録紙のサイズに画像データのサイズを合わせるために、画像処理回路３５ではＡＤＦ４０から受け取った画像データが、画像回転処理などを施された後に、直接、画像メモリ３３に記憶される。その後、画像メモリ３３から圧縮伸張回路３４に画像データが読み出されて転送される。圧縮伸張回路３４では画像データが圧縮された後に、再度、画像メモリ３３に圧縮画像データが転送されて格納される。
【０２０５】
そして、画像形成手段１８の使用権が得られると、画像メモリ３３から圧縮伸張回路３４へ圧縮画像データが読み出される。圧縮伸張回路３４では圧縮画像データが伸張された後に、メモリ制御回路３２の制御を受けて、画像処理回路３５に入力される。
【０２０６】
この画像処理回路３５では、所定の画像処理を施した後に、ＦＩＦＯメモリ３６ｃを経由しては入出力のタイミングが整えられる。この画像データはＦＩＦＯメモリ３６ｃから画像形成手段１８に順次読み出されるので、図５に示した記録紙３０などに回転処理を伴った原稿画像を形成することができる。
【０２０７】
１−４．メモリコピー２ｉｎ１時
図１９は複合機２００のメモリコピー２ｉｎ１時の動作例を示すブロック図である。この「メモリコピー２ｉｎ１」とは２枚の原稿を読み取って縮小し、１枚の記録紙３０に原稿を形成することをいう。この例では、操作部８６を介して上述と同様にしてＣＰＵ８１に、ユーザからの２ｉｎ１のコピー要求がなされると、ＡＤＦ４０で読み取られた２頁分の画像データが、ＦＩＦＯメモリ３６ａを経由しては画像処理回路３５に入力される。
【０２０８】
ここで、予め準備された記録紙のサイズと、画像データのサイズとが合わない場合には、この記録紙のサイズと、画像データのサイズとを合わせるために、画像処理回路３５ではＡＤＦ４０から受け取った画像データが、画像回転処理などを施された後に、その画像回転処理後の画像データがＦＩＦＯメモリ３６ｂを経由しては入出力のタイミングが整えられる。
【０２０９】
この画像回転後の画像データはＦＩＦＯメモリ３６ｂから内部バスＣを通って、更にメモリ制御回路３２に接続された内部バスＢを通って圧縮伸張回路３７に転送される。圧縮伸張回路３７では２頁分の画像データが圧縮された後に、メモリ制御回路３２の制御を受けて、画像メモリ３３に圧縮画像データが転送されて格納される。
【０２１０】
その後、画像形成手段１８の使用権が得られると、画像メモリ３３から圧縮伸張回路３４へ圧縮画像データが読み出される。圧縮伸張回路３４では圧縮画像データが伸張された後に、メモリ制御回路３２の制御を受けて、画像処理回路３５に入力される。この画像処理回路３５では、所定の画像処理を施した後に、ＦＩＦＯメモリ３６ｃを経由しては入出力のタイミングが整えられる。この画像データはＦＩＦＯメモリ３６ｃから画像形成手段１８に順次読み出されるので、図５に示した記録紙３０に原稿画像を形成することができる。
【０２１１】
１−５．メモリコピーブックレット時
図２０は複合機２００のメモリコピーブックレット時の動作例を示すブロック図である。この「メモリコピーブックレット」とは原稿の全頁を読み取って、１枚の記録紙３０の左右に２頁の原稿を、いわゆる読み開き形式に形成することをいう。この例では、操作部８６を介して上述と同様にしてＣＰＵ８１に、ユーザから「ブックレット」のコピー要求がなされると、ＡＤＦ４０で読み取られた全頁分の画像データが、順次ＦＩＦＯメモリ３６ａを経由しては画像処理回路３５に入力される。そして、画像処理回路３５ではＡＤＦ４０から受け取った画像データが、所定の画像処理を施しては、また、ＦＩＦＯメモリ３６ｂを経由しては入出力のタイミングが整えられる。
【０２１２】
その後、ＦＩＦＯメモリ３６ｂから圧縮伸張回路３４に画像データが転送される。圧縮伸張回路３４では画像データが圧縮された後に、メモリ制御回路３２の制御を受けて、画像メモリ３３に圧縮画像データが転送されて格納される。そして、画像形成手段１８の使用権が得られると、画像メモリ３３から圧縮伸張回路３４へ２頁分の圧縮画像データが読み出される。圧縮伸張回路３４ではその圧縮画像データが伸張された後に、メモリ制御回路３２の制御を受けて、画像処理回路３５に入力される。
【０２１３】
この画像処理回路３５では、所定の画像処理を施した後に、ＦＩＦＯメモリ３６ｃを経由しては入出力のタイミングが整えられる。この２頁分の画像データはＦＩＦＯメモリ３６ｃから画像形成手段１８に順次読み出されるので、図５に示した記録紙３０などの左右に読み開き形式で原稿画像を形成することができる。
【０２１４】
１−６．ＦＣＯＴコピー時
図２１は複合機２００のＦＣＯＴ（Ｆirst Ｃopy Ｔime）コピー時の動作例を示すブロック図である。この「ＦＣＯＴコピー」とは最初の１頁の原稿をコピーすると共に、その画像データを画像メモリ３３に記憶することをいう。この例では、操作部８６を介して上述と同様にしてＣＰＵ８１に、ユーザから「ＦＣＯＴコピー」のコピー要求がなされると、ＡＤＦ４０で読み取られた数ライン分の画像データが、一旦ＦＩＦＯメモリ３６ａに記憶された後に、画像処理回路３５に入力される。
【０２１５】
そして、画像処理回路３５ではＡＤＦ４０から受け取った画像データが、所定の画像処理を施された後に、画像形成手段１８に直接送られる。これと共に、ＦＩＦＯメモリ３６ｂから圧縮伸張回路３４に画像データが転送される。圧縮伸張回路３４では画像データが圧縮された後に、メモリ制御回路３２の制御を受けて、画像メモリ３３に圧縮画像データが転送されて格納される。従って、１頁の原稿をＦＣＯＴコピーできると共に、その画像データを画像メモリ３３に記憶することができる。
【０２１６】
１−７．リストプリント時
図２２は複合機２００のリストプリント時の動作例を示すブロック図である。この「リストプリント」とはＲＡＭ８３に記録された管理データなどを記録紙３０にプリントアウトすることをいう。この例では、操作部８６を介して上述と同様にしてＣＰＵ８１に、ユーザから「リストプリント」のプリントアウト要求がなされると、ＣＰＵ８１では、リストを展開するために、ＣＰＵバス８４を介してＲＡＭ８３から管理データが読み出される。
【０２１７】
このＲＡＭ８３から読み出された管理データは、ホストブリッジ８２からデータバス２８を経由してメモリ制御回路３２に転送される。この管理データに基づいて画像メモリ３３から読み出された画像データが、メモリ制御回路３２の制御を受けて、内部バスＥを通って画像処理回路３５に入力される。
【０２１８】
そして、画像処理回路３５ではメモリ制御回路３２から受け取った画像データが、所定の画像処理を施された後に、ＦＩＦＯメモリ３６ｃを経由しては入出力のタイミングが整えられる。このＦＩＦＯメモリ３６ｃから順次読み出された画像データが像形成手段１８に転送される。従って、ＲＡＭ８３に記録された管理データに基づく画像を記録紙３０にプリントアウトすることができる。
【０２１９】
２−１．メモリファックス送信回転無し時
図２３は複合機２００のメモリファックス送信回転無し時の動作例を示すブロック図である。この例では、操作部８６を介して上述と同様にしてＣＰＵ８１に、ユーザ又はタイムアップによる通常のファックス要求がなされると、ＡＤＦ４０で読み取られた画像データが、ＦＩＦＯメモリ３６ａを経由しては画像処理回路３５に入力される。そして、画像処理回路３５ではＡＤＦ４０から受け取った画像データが、所定の画像処理を施しては、また、ＦＩＦＯメモリ３６ｂを経由しては入出力のタイミングが整えられる。
【０２２０】
その後、ＦＩＦＯメモリ３６ｂから圧縮伸張回路３４に画像データが転送される。圧縮伸張回路３４では画像データが圧縮された後に、メモリ制御回路３２の制御を受けて、画像メモリ３３に圧縮画像データが転送されて格納される（ファイルイン）。そして、ＦＡＸ基板２６で通信回線が接続されると、画像メモリ３３から圧縮伸張回路３７へ１頁単位に圧縮画像データが読み出される（ファイルアウト）。圧縮伸張回路３７では圧縮画像データが伸張された後に、メモリ制御回路３２の制御を受けて、拡大縮小回路３８に入力される。
【０２２１】
この拡大縮小回路３８では、画像データが所定の拡大縮小処理を施された後に、送信画像データとなってＦＡＸ基板２６に転送される。この送信画像データは図９に示したＦＡＸ基板２６で所定の符号化処理がなされる。その符号化画像データは通信モデム６０２で公衆網の周波数帯に整合するように変調される。この通信モデム６０１による変調信号はＮＣＵ６０１を介して通信回線に出力される（図９参照）。従って、予め設定された原稿の回転処理を伴わないメモリファックス送信を行うことができる。
【０２２２】
２−２．メモリファックス送信回転有り時
図２４は複合機２００のメモリファックス送信回転有り時の動作例を示すブロック図である。この例では、操作部８６を介して上述と同様にしてＣＰＵ８１に、ユーザ又はタイムアップによる画像回転を伴うファックス要求がなされると、ＡＤＦ４０で読み取られた数ライン分の画像データが、ＦＩＦＯメモリ３６ａを経由しては画像処理回路３５に入力される。
【０２２３】
そして、例えば、相手方の端末装置で予め準備された記録紙のサイズに画像データのサイズを合わせるために、画像処理回路３５ではＡＤＦ４０から受け取った画像データが、画像回転処理などを施された後に、その画像回転後の画像データがＦＩＦＯメモリ３６ｂを経由しては入出力のタイミングが整えられる。
【０２２４】
この画像回転後の画像データはＦＩＦＯメモリ３６ｂから内部バスＣを通ってメモリ制御回路３２の制御を受けて、一旦、画像メモリ３３に記憶される。その後、画像メモリ３３から圧縮伸張回路３４に画像データが読み出されて転送される。圧縮伸張回路３４では画像データが圧縮された後に、メモリ制御回路３２の制御を受けて、再度、画像メモリ３３に圧縮画像データが転送されて格納される（ファイルイン）。
【０２２５】
そして、ＦＡＸ基板２６で通信回線が接続されると、メモリファックス送信回転無し時と同様にして、画像メモリ３３から圧縮伸張回路３７へ１頁単位に圧縮画像データが読み出される（ファイルアウト）。圧縮伸張回路３７では圧縮画像データが伸張された後に、メモリ制御回路３２の制御を受けて、拡大縮小回路３８に入力される。
【０２２６】
この拡大縮小回路３８では、画像データが所定の拡大縮小処理を施された後に、送信画像データとなってＦＡＸ基板２６に転送される。この送信画像データは図９に示したＦＡＸ基板２６で所定の符号化処理がなされる。その符号化画像データは通信モデム６０２で変調された後に、ＮＣＵ６０１を介して通信回線に出力される（図９参照）。従って、予め設定された原稿の回転処理を伴うメモリファックス送信を行うことができる。
【０２２７】
２−３．メモリファックス・クイック送信時
図２５は複合機２００のメモリファックス・クイック送信時の動作例を示すブロック図である。この例では、操作部８６を介して上述と同様にしてＣＰＵ８１に、ユーザ又はタイムアップによるメモリファックス・クイック送信要求がなされると、ＡＤＦ４０で読み取られた数ライン分の画像データが、ＦＩＦＯメモリ３６ａを経由しては画像処理回路３５に入力される。
【０２２８】
そして、画像処理回路３５ではＡＤＦ４０から受け取った画像データが、所定の画像処理などを施された後に、その画像処理後の画像データがＦＩＦＯメモリ３６ｂを経由しては入出力のタイミングが整えられる。
【０２２９】
この画像処理後の画像データは、上述のメモリファックス送信回転有り時のように、ＦＩＦＯメモリ３６ｂから内部バスＣを通って、画像メモリ３３に記憶されることなく、直接、圧縮伸張回路３４に画像データが転送されるので、画像データが圧縮された後に、メモリ制御回路３２の制御を受けて、圧縮伸張回路３４から画像メモリ３３へ圧縮画像データが転送されて格納される。
【０２３０】
そして、ＦＡＸ基板２６で通信回線が接続されると、メモリファックス送信回転有り時と同様にして、画像メモリ３３から圧縮伸張回路３７へ圧縮画像データが読み出される。圧縮伸張回路３７では圧縮画像データが伸張された後に、メモリ制御回路３２の制御を受けて、拡大縮小回路３８に入力される。
【０２３１】
この拡大縮小回路３８では、画像データが所定の拡大縮小処理を施された後に、送信画像データとなってＦＡＸ基板２６に転送される。この送信画像データは図９に示したＦＡＸ基板２６で所定の符号化処理がなされる。その符号化画像データは通信モデム６０２で変調された後に、ＮＣＵ６０１を介して通信回線に出力される（図９参照）。従って、予め設定された原稿の画像回転を伴わないメモリファックス・クイック送信を行うことができる。
【０２３２】
２−４．メモリファックス・クイック送信回転有り時
図２６は複合機２００のメモリファックス・クイック送信回転有り時の動作例を示すブロック図である。この例では、操作部８６を介して上述と同様にしてＣＰＵ８１に、ユーザ又はタイムアップによるメモリファックス・クイック送信回転有り要求がなされると、ＡＤＦ４０で読み取られた数ライン分の画像データが、ＦＩＦＯメモリ３６ａを経由しては画像処理回路３５に入力される。
【０２３３】
そして、例えば、相手方の端末装置で予め準備された記録紙のサイズに画像データのサイズを合わせるために、画像処理回路３５ではＡＤＦ４０から受け取った画像データが、画像回転処理などを施された後に、その画像回転後の画像データがＦＩＦＯメモリ３６ｂを経由しては入出力のタイミングが整えられる。
【０２３４】
この画像回転後の画像データは、上述のメモリファックス送信回転有り時のように、ＦＩＦＯメモリ３６ｂから内部バスＣを通って、画像メモリ３３に一旦記憶され、その後、圧縮伸張回路３４に画像データが転送される。従って、画像データが圧縮された後に、メモリ制御回路３２の制御を受けて、圧縮伸張回路３４から画像メモリ３３へ圧縮画像データが転送されて格納される（ファイルイン）。
【０２３５】
そして、ＦＡＸ基板２６で通信回線が接続されると、メモリファックス送信回転有り時と同様にして、画像メモリ３３から圧縮伸張回路３７へ１頁単位に圧縮画像データが読み出される（ファイルアウト）。圧縮伸張回路３７では圧縮画像データが伸張された後に、メモリ制御回路３２の制御を受けて、拡大縮小回路３８に入力される。
【０２３６】
この拡大縮小回路３８では、画像データが所定の拡大縮小処理を施された後に、送信画像データとなってＦＡＸ基板２６に転送される。この送信画像データは図９に示したＦＡＸ基板２６で所定の符号化処理がなされる。その符号化画像データは通信モデム６０２で変調された後に、ＮＣＵ６０１を介して通信回線に出力される（図９参照）。
【０２３７】
２−５．ファクシミリ受信時
図２７は複合機２００のファクシミリ受信時の動作例を示すブロック図である。この例では、通信回線に接続されたＦＡＸ基板２６で相手方からの「呼」が、ＮＣＵ６０１によって検出されると、公衆網によって伝送されてきた変調信号が通信モデム６０２によって復調され、この復調後のデジタルの符号化画像データが受信される。ＦＡＸ基板２６では、符号化画像データを復号化して伸張した受信画像データが得られ、この受信画像データがデータバス２９を通って拡大縮小回路３８に出力される。拡大縮小回路３８では受信画像データを内部バスＢを通して圧縮処理回路３７へデータスルーさせる。これは相手方からの受信画像データをエラー無く受け入れるためである。
【０２３８】
従って、圧縮伸張回路３７では受信画像データが１頁単位に圧縮され、この圧縮後の画像データが画像メモリ３３のＦＡＸ領域３３Ｂに、もしくは、メモリ使用率によって代行受信領域３３Ｃなどに格納される。その後、画像メモリ３３から拡大縮小回路３８へ読み出され、受信画像データが所定の拡大縮小処理を施された後に、メモリ制御回路３２の制御を受けて、再度、画像メモリ３３に転送される。
【０２３９】
そして、ファクシミリ受信機能で画像形成手段１８の使用権が得られると、画像メモリ３３から圧縮伸張回路３４へ圧縮画像データが読み出される。圧縮伸張回路３４では圧縮画像データが伸張された後に、メモリ制御回路３２の制御を受けて、一旦、画像データが画像メモリ３３に格納される。
【０２４０】
その後、同様にして、メモリ制御回路３２の制御を受けて、画像データが画像メモリ３３から画像処理回路３５に読み出される。この画像処理回路３５では、所定の画像処理を施した後に、ＦＩＦＯメモリ３６ｃを経由しては入出力のタイミングが整えられる。この画像データはＦＩＦＯメモリ３６ｃから画像形成手段１８に順次読み出されるので、図５に示した記録紙３０などに原稿画像を形成することができる。従って、相手方から送られてきた原稿画像をプリントアウトすることができる。
【０２４１】
続いて、プリント機能に関して、パーソナルコンピユータ通信時のプリントアウトの場合について説明する。図２８は複合機２００のパソコン通信時の動作例を示すブロック図である。
【０２４２】
この例では、パソコン１０２がパソコン通信基板２７に接続されていることが前提であり、パソコン通信時のプリントアウトの場合に、パソコン通信基板２７のＰＣｉブリッジ２７ａが、データバス２８を通してホストブリッジ８２に画像形成手段１８の使用要求がなされる。
【０２４３】
この使用要求はホストブリッジ８２からＣＰＵ８１に通知されるので、画像形成手段１８が使用されている場合と、その画像形成手段１８が使用されていない場合とに分けて画像データの転送処理がなされる。例えば、画像形成手段１８が空いている場合には、パソコン通信基板２７でパソコン１０２から受信した画像データがデータバス２８を通してメモリ制御回路３２に転送され、このメモリ制御回路３２の制御を受けて一旦、画像メモリ３３に格納される。その後、画像メモリ３３から圧縮伸張回路３７に読み出される。
【０２４４】
この圧縮伸張回路３７ではパソコン１０２からの画像データが１頁単位に圧縮され、この圧縮後の画像データがメモリ制御回路３２の制御を受けて、画像メモリ３３のコピー／プリンタ領域３３Ａに格納される。その後、この例では画像形成手段１８が空いているので、画像メモリ３３からメモリ制御回路３２の制御を受けて、画像メモリ３３から圧縮伸張回路３４に圧縮画像データが読み出される。
【０２４５】
この圧縮伸張回路３４では圧縮画像データが伸張された後に、画像処理回路３５に伸張後の画像データが転送される。この画像処理回路３５では、所定の画像処理を施した後に、ＦＩＦＯメモリ３６ｃを経由しては入出力のタイミングが整えられる。この画像データはＦＩＦＯメモリ３６ｃから画像形成手段１８に順次読み出されるので、図５に示した記録紙３０などに原稿画像を形成することができる。従って、パソコン１０２から送られてきた画像データをプリントアウトすることができる。
【０２４６】
また、画像形成手段１８が他のジョブで使用している場合には、パソコン通信基板２７でパソコン１０２から受信した画像データがデータバス２８を通してメモリ制御回路３２に転送され、このメモリ制御回路３２の制御を受けて一旦、画像メモリ３３に格納される。その後、画像メモリ３３から圧縮伸張回路３７に読み出される。
【０２４７】
この圧縮伸張回路３７ではパソコン１０２からの画像データが１頁単位に圧縮され、この圧縮後の画像データがメモリ制御回路３２の制御を受けて、画像メモリ３３のコピー／プリンタ領域３３Ａに格納される。そして、プリント機能で画像形成手段１８の使用権が得られると、画像メモリ３３から圧縮伸張回路３４へ圧縮画像データが読み出される。
【０２４８】
この圧縮伸張回路３４では、上述と同様にして圧縮画像データが伸張された後に、画像処理回路３５に伸張後の画像データが転送される。この画像処理回路３５では、所定の画像処理を施した後に、ＦＩＦＯメモリ３６ｃを経由しては入出力のタイミングが整えられる。この画像データはＦＩＦＯメモリ３６ｃから画像形成手段１８に順次読み出されるので、図５に示した記録紙３０などに原稿画像を形成することができる。従って、コピージョブとプリントジョブが競合した場合には、そのコピージョブによる画像形成手段１８の空きを待ってパソコン１０２から送られてきた画像データをプリントアウトすることができる。
【０２４９】
このようにして、本実施の形態としての複合機２００によれば、画像メモリ３３が共用されるので、ＡＤＦ４０、ＦＡＸ基板２６又はパソコン通信基板２７のいずれかでメモリ領域を使用していない場合、又は、これらのＡＤＦ４０、ＦＡＸ基板２６又はパソコン通信基板２７でメモリ領域を使用しているが、そのメモリ使用率が低い場合には、空いているメモリ領域を現在稼働しているＡＤＦ４０、ＦＡＸ基板２６又はパソコン通信基板２７で使用することができる。従って、画像メモリ３３を効率良く使用することができる。これにより、使用勝手の非常に優れた複合機２００を提供することができる。
【０２５０】
また、本実施の形態ではＣＰＵ８１とは独立してホストブリッジ８２により画像データの入出力制御を行うことができるので、ＡＤＦ４０が画像メモリ３３に画像データを書き込んでいるときに、同時に、パソコン通信基板２７から画像メモリ３３へ画像データを格納することができる。従って、ＣＰＵ８１からホストブリッジ８２へ制御命令Ｄ１が与えられた後は、ＣＰＵ８１に通信処理などの他のデータ処理を実行させることができる。
【０２５１】
また、本実施の形態では従来方式のような１つのデータバスをデータバス２８、２９の２つに分けているので、パソコン通信基板２７と、メモリ制御回路３２を含むＦＡＸ基板２６とのデータ処理速度の影響を懸念することなく、メモリ制御回路３２内にＤＭＡＣを導入することができる。従って、ホストブリッジ８２内のインタフェース制御部６８などにＤＭＡＣ機能を備えることにより、画像データの転送速度の高速化が図れる。
【０２５２】
（３）複合機２００のマルチジョブの管理構造
図２９は、本発明の実施形態としての画像形成装置を応用した複合機２００のマルチジョブの管理構造例を示す状態遷移図である。この例では、図４に示したＣＰＵ８１、ＲＡＭ８３及び操作部８７によるパネルマネージャ機能がその説明の中心となる。
【０２５３】
つまり、この複合機（第３の画像形成装置）２００では、ＦＡＸ基板２６で受信した画像データ、パソコン通信基板２７で受信した画像データ、又は、ＡＤＦ４０で読み取った画像データに基づく画像が画像形成手段１８によって、１ページ単位毎に記録紙３０に形成される。
【０２５４】
図２９に示すマルチジョブの管理構造では、待機状態（ＷＴ）、画像読取手段１１（ＡＤＦ４０又は画像読み取り部５０）によるスキャン状態（ＳＣ）、画像形成手段１８によるプリント状態（ＰＲ）、ユーザなどによる割り込みコピー操作などのオペレーション状態（ＯＰ）などの４つのジョブが存在する。操作部８７による設定状態（ＳＳ）を含めると５つのジョブが存在する。
【０２５５】
この例では、図２９に示す遷移例▲１▼でア応用機能などの選択を行うことによって、待機状態からオペレーション動作にジョブが遷移される。このオペレーション状態で遷移例▲２▼でストップ／クリア（ＯＫ／キャンセル）９０８が押下されると、オペレーション状態から待機状態にジョブを戻すことができる。なお、オペレーション状態で操作部８７によって遷移例▲３▼でコピー動作や、ファクシミリ動作の設定条件を変更すること、又は、その遷移例▲４▼でキャンセルを行うことができる。
【０２５６】
このオペレーション状態で図１０に示したスタートキー９１１が押下されると、遷移例▲５▼でオペレーション状態からスキャン動作にジョブが遷移され、ＡＤＦ４０で原稿画像を読み取ることができる。このスキャン状態のジョブにおいて、遷移例▲６▼でスキャンエンド（ジョブ完了）をすると、スキャン状態から待機動作にジョブが遷移され、画像形成手段１８による画像形成を待つことができる。
【０２５７】
また、スキャン動作の完了状態で遷移例▲７▼でプリントスタートをすると、スキャン状態からプリント動作にジョブが遷移され、画像形成手段１８で記録紙３０に画像を形成することができる。このプリント状態において、遷移例▲８▼でプリントエンドされると、プリント状態から待機動作にジョブが遷移される。なお、待機状態において、遷移例▲９▼でプリントスタートされると、待機状態からプリント動作にジョブが遷移され、画像形成手段１８で記録紙３０に画像を形成することができる。
【０２５８】
続いて、複合機２００のジョブの管理方法について説明する。図３０は、複合機２００の４個のジョブＪＯＢ１〜４の状態遷移例を示す概念図である。
【０２５９】
この例では、プリント動作中のコピー予約又は割り込みコピー要求等により、最大４個のジョブが同時に存在する。従って、ジョブを以下のように管理する。
１．パネルマネージャのコンストラクタで、ステートクラス、コピーデータクラスを４個ペアにして生成し、ジョブＪＯＢ１〜４を割り当てる。
２．各ジョブ毎に状態遷移を持たせ、パネルマネージャがイベントを各ジョブに振り分ける。
３．コピー予約は待機状態にあるジョブに割り当てる。
４．割り込みコピーはＪＯＢ４に割り当てる。
【０２６０】
図３０に示す第１のジョブＪＯＢ１ではスキャン動作が完了してプリント動作が実行される。ＪＯＢ１でプリント動作が終了すると待機状態に遷移される。第２のジョブＪＯＢ２ではコピー予約によるスキャン動作が実行される。このスキャン動作を完了したＪＯＢ２は待機状態に戻される。この際のコピー予約は待機状態中のジョブに割り振られる。第３のジョブＪＯＢ３ではＪＯＢ２の実行中に、コピー予約操作が行われる。第４のジョブＪＯＢ４ではＪＯＢ１〜ＪＯＢ３の実行中に割り込みコピー予約操作が行われる。
【０２６１】
この４個のジョブＪＯＢ１〜４を管理するために、図４に示したＲＡＭ８３には、画像形成手段１８を他のジョブに優先して使用できる優先順位を予め定めた複数のジョブ命令が記憶されている。この例では、ユーザによる割り込みコピー要求に対して最も優先度が高く設定されている。従って、ユーザによる割り込みコピー要求が有った場合には、他のジョブに優先して画像形成手段１８を使用することができる。
【０２６２】
この例では、図４に示したＣＰＵ８１がパネルマネージャとなって、操作部８７による入力情報（ユーザによる割り込みコピー要求や、動作条件等）と、ＲＡＭ８３によるジョブ命令とに従って、ＡＤＦ４０によるスキャン動作、パソコン通信基板２７又はＦＡＸ基板２６などによるデータ受信、画像形成手段１８によるプリント動作を制御してジョブ命令を実行する。
【０２６３】
続いて、図３１〜図３５を参照しながら、各ジョブ毎の状態遷移例について、コピーによるデータ入力を例にした説明をする。この例では、シングルコピー動作、プリント中のコピー予約（パターン１〜３）及びプリント中のコピー予約中の割り込みコピー操作の場合について説明する。
【０２６４】
図３１は複合機２００のジョブ毎の状態遷移例（シングルコピー動作時）を示す概念図である。図３１において、「Ｐanel」はパネルマネージャを示し、「ＵＩ  Ｔask」はパネル制御部を示し、「ＪＯＢ  Ｔask」はジョブ制御部を示している。以下、図３２〜図３５においても同様である。
【０２６５】
図３１に示すシングルコピー動作時の状態遷移ではコピー予約がない場合であって、例えば、複数頁の１部（ＩＤ＝ｎ１）の原稿を読み取って記録紙３０に画像を形成する場合を想定する。この場合には、ＪＯＢ２〜４は待機状態である。従って、パネルマネージャがＵＩタスクにコピー操作をすると、ＪＯＢ１で待機状態からオペレーション（操作中）状態にジョブが遷移される。その後、パネルマネージャからＵＩタスクに対してスタートキーが操作されると、ＵＩタスクからＪＯＢタスクにジョブが投入され、オペレーション状態からスキャン状態にジョブが遷移され、スキャンスタート待ち状態になされる。
【０２６６】
そして、一定時間経過の後に、ＪＯＢタスクからＵＩタスクにＩＤ＝ｎ１の原稿画像のスキャンスタートが通知されると、ＪＯＢ１ではスキャン状態（スキャン中）となる。ＡＤＦ４０で１部の原稿画像を順次読み取ることができる。そして、１頁の原稿画像が取得されると、ＪＯＢタスクからＵＩタスクにＩＤ＝ｎ１の原稿画像のプリントスタートが通知される。ＪＯＢ１ではスキャン動作にプリント動作が加わる。ここで、画像形成手段１８による記録紙３０への画像形成が開始される。
【０２６７】
その後、全部の原稿画像の読み取りが終了すると、ＪＯＢタスクからＵＩタスクにＩＤ＝ｎ１の原稿画像のスキャンスエンドが通知される。ＪＯＢ１ではプリント動作のみとなる。そして、全部の原稿の画像形成が終了すると、ＪＯＢタスクからＵＩタスクにＩＤ＝ｎ１の原稿画像のプリントエンドが通知される。これにより、ＪＯＢ１は待機状態となり、コピー予約を伴わない１部の原稿を複写することができる。
【０２６８】
図３２は複合機２００のプリント中のコピー予約（パターン１）の状態遷移例を示す概念図である。この例では、複数頁の１部目（ＩＤ＝ｎ１）の原稿画像を形成しているときに、次の複数頁の２部目（ＩＤ＝ｎ２）の原稿画像を読み取って記録紙３０に画像を形成する場合を想定する。この場合には、ＪＯＢ３、４は待機状態である。
【０２６９】
例えば、ＪＯＢ１で１部目（ＩＤ＝ｎ１）の原稿画像をプリント中に、２部目の原稿のコピーを予約すべく、パネルマネージャがＵＩタスクにコピー予約操作をすると、ＪＯＢ２で待機状態からオペレーション（操作中）状態にジョブが遷移される。その後、パネルマネージャからＵＩタスクに対してスタートキーが操作されると、ＵＩタスクからＪＯＢタスクにジョブが投入され、オペレーション状態からスキャン状態にジョブが遷移され、スキャンスタート待ち状態になされる。
【０２７０】
そして、一定時間経過の後に、ＪＯＢタスクからＵＩタスクにＩＤ＝ｎ２の原稿画像のスキャンスタートが通知されると、ＪＯＢ２ではスキャン状態（スキャン中）となる。これにより、ＡＤＦ４０で２部目の原稿画像を順次読み取ることができる。一方で、１部目の全部の原稿の画像形成が終了すると、ＪＯＢタスクからＵＩタスクにＩＤ＝ｎ１の原稿画像のプリントエンドが通知される。これにより、ＪＯＢ１は待機状態となる。
【０２７１】
そして、２部目の１頁の原稿画像が取得されると、ＪＯＢタスクからＵＩタスクにＩＤ＝ｎ２の原稿画像のプリントスタートが通知される。ＪＯＢ２ではスキャン動作にプリント動作が加わる。ここで、２部目の１頁の原稿に関して画像形成手段１８による記録紙３０への画像形成が開始される。
【０２７２】
その後、２部目の全部の原稿画像の読み取りが終了すると、ＪＯＢタスクからＵＩタスクにＩＤ＝ｎ２の原稿画像のスキャンスエンドが通知される。ＪＯＢ２ではプリント動作のみとなる。そして、全部の原稿画像の画像形成が終了すると、ＪＯＢタスクからＵＩタスクにＩＤ＝ｎ２の原稿画像プリントエンドが通知される。これにより、ＪＯＢ２は待機状態となり、最初の１部目の原稿画像の複写に引き続いて２部目の原稿画像を複写することができる。
【０２７３】
図３３は複合機２００のプリント中のコピー予約（パターン２）の状態遷移例を示す概念図である。この例では、枚数の多い複数頁の１部目（ＩＤ＝ｎ１）の原稿画像を形成しているときに、次に、複数頁の２部目（ＩＤ＝ｎ２）の原稿画像を読み取って記録紙３０に画像を形成し、更に、引き続いて、次の３部目（ＩＤ＝ｎ３）の原稿画像を読み取って記録紙３０に画像を形成する場合を想定する。この場合にも、ＪＯＢ３、４は待機状態である。コピー予約ジョブはＦＩＦＯメモリキューに登録され、予約順にプリントアウトされる。
【０２７４】
例えば、ＪＯＢ１で１部目（ＩＤ＝ｎ１）の原稿画像をプリント中に、２部目の原稿のコピーを予約すべく、パネルマネージャがＵＩタスクにコピー予約操作をすると、ＪＯＢ２で待機状態からオペレーション（操作中）状態にジョブが遷移される。その後、パネルマネージャからＵＩタスクにスタートキーが操作されると、ＵＩタスクからＪＯＢタスクにジョブが投入され、オペレーション状態からスキャン状態にジョブが遷移され、スキャンスタート待ち状態になされる。
【０２７５】
そして、一定時間経過の後に、ＪＯＢタスクからＵＩタスクにＩＤ＝ｎ２の原稿画像のスキャンスタートが通知されると、ＪＯＢ２ではスキャン状態（スキャン中）となる。ＡＤＦ４０で２部目の原稿画像を順次読み取ることができる。
【０２７６】
一方、この例では、１部目の原稿が多く、その画像形成が全部終了していないので、ＪＯＢ１ではＩＤ＝ｎ１の原稿画像のプリント動作が継続されている。他方、ＪＯＢ２では２部目の全部の原稿画像の読み取りが終了すると、ＪＯＢタスクからＵＩタスクにＩＤ＝ｎ２の原稿画像のスキャンスエンドが通知される。
【０２７７】
その後、３部目の原稿のコピーを予約すべく、パネルマネージャがＵＩタスクにコピー予約操作をすると、ＪＯＢ２で待機状態からオペレーション（操作中）状態にジョブが遷移される。そして、パネルマネージャからＵＩタスクにスタートキーが操作されると、ＵＩタスクからＪＯＢタスクにジョブが投入され、オペレーション状態からスキャン状態にジョブが遷移され、スキャンスタート待ち状態になされる。
【０２７８】
そして、一定時間経過の後に、ＪＯＢタスクからＵＩタスクにＩＤ＝ｎ３の原稿画像のスキャンスタートが通知されると、ＪＯＢ２ではスキャン状態（スキャン中）となる。ＡＤＦ４０で３部目の原稿画像を順次読み取ることができる。
【０２７９】
一方、ＪＯＢ１で１部目の全部の原稿の画像形成が終了すると、ＪＯＢタスクからＵＩタスクにＩＤ＝ｎ１の原稿画像のプリントエンドが通知される。ＪＯＢ１では一定時間だけ待機状態になった後に、２部目の１頁の原稿画像が既に取得されているので、ＪＯＢタスクからＵＩタスクにＩＤ＝ｎ２の原稿画像のプリントスタートが通知される。これにより、最初の１部目の原稿画像のコピーに引き続いて２部目の原稿画像のコピー開始をすることができる。
【０２８０】
他方、ＪＯＢ２では３部目の原稿画像の読み取りが終了すると、ＪＯＢタスクからＵＩタスクにＩＤ＝ｎ３の原稿画像のスキャンスエンドが通知される。これ以降、ＪＯＢ２は待機状態となる。
【０２８１】
このＩＤ＝ｎ３の原稿画像のスキャンスエンドが通知された後に、２部目の全部の原稿の画像形成が終了すると、ＪＯＢタスクからＵＩタスクにＩＤ＝ｎ２の原稿画像のプリントエンドが通知される。ＪＯＢ２では一定時間だけ待機状態となった後に、ＪＯＢタスクからＵＩタスクにＩＤ＝ｎ３の原稿画像のプリントスタートが通知される。ＪＯＢ１では３部目の原稿に関して画像形成手段１８による記録紙３０への画像形成が開始される。その後、３部目の全部の原稿の画像形成が終了すると、ＪＯＢタスクからＵＩタスクにＩＤ＝ｎ３のプリントエンドが通知される。これにより、ＪＯＢ１は待機状態となり、最初の１部目の複写に引き続いて２部目の原稿及び３部目の原稿を連続してコピーすることができる。
【０２８２】
図３４は複合機２００のプリント中のコピー予約（パターン３）の状態遷移例を示す概念図である。この例では、枚数の多い１部目（ＩＤ＝ｎ１）の原稿画像を形成しているときに、次に、２部目（ＩＤ＝ｎ２）の原稿画像を読み取って記録紙３０に画像を形成し、更に、２部目の原稿の読取中に、次の３部目（ＩＤ＝ｎ３）の原稿画像を読み取って記録紙３０に画像を形成する場合を想定する。
【０２８３】
この例では、コピー予約操作からスタートキーを押下する間までに、ＡＤＦ４０に原稿をセットされていることが条件である。この場合には、ＪＯＢ１〜３が利用され、ＪＯＢ４のみが待機状態である。コピー予約ジョブはＦＩＦＯメモリキューに登録され、予約順にプリントアウトされる。
【０２８４】
例えば、ＪＯＢ１で１部目（ＩＤ＝ｎ１）の原稿画像をプリント中に、２部目の原稿のコピーを予約すべく、パネルマネージャがＵＩタスクにコピー予約操作をすると、ＪＯＢ２で待機状態からオペレーション（操作中）状態にジョブが遷移される。その後、パネルマネージャからＵＩタスクにスタートキーが操作されると、ＵＩタスクからＪＯＢタスクにジョブが投入され、オペレーション状態からスキャン状態にジョブが遷移され、スキャンスタート待ち状態になされる。
【０２８５】
そして、一定時間経過の後に、ＪＯＢタスクからＵＩタスクにＩＤ＝ｎ２の原稿画像のスキャンスタートが通知されると、ＪＯＢ２ではスキャン状態（スキャン中）となる。ＡＤＦ４０で２部目の原稿画像を順次読み取ることができる。
【０２８６】
一方、この例でも、１部目の原稿が多くその画像形成が全部終了していないので、ＪＯＢ１ではＩＤ＝ｎ１の原稿画像のプリント動作が継続されている。他方、ＪＯＢ２では２部目の原稿画像の読み取りが継続されている。従って、３部目の原稿画像のコピーをＪＯＢ２に設定することができない。
【０２８７】
そこで、この例では、ＪＯＢ２の原稿画像の読み取りが終了するを待つのではなく、ＪＯＢ３を利用する。従って、３部目の原稿のコピーを予約すべく、パネルマネージャがＵＩタスクにコピー予約操作をすると、ＪＯＢ３で待機状態からオペレーション（操作中）状態にジョブが遷移され、３部目の設定予約が可能となる。この間にＪＯＢ２で２部目の原稿画像の読み取りが終了すると、ＪＯＢタスクからＵＩタスクにＩＤ＝ｎ２の原稿画像のスキャンスエンドが通知される。ＪＯＢ２は待機状態になる。
【０２８８】
従って、パネルマネージャからＵＩタスクにスタートキーが操作されると、ＵＩタスクからＪＯＢタスクにジョブが投入され、オペレーション状態からスキャン状態にジョブが遷移され、スキャンスタート待ち状態になされる。
【０２８９】
そして、一定時間経過の後に、ＪＯＢタスクからＵＩタスクにＩＤ＝ｎ３の原稿画像のスキャンスタートが通知されると、ＪＯＢ３ではスキャン状態（スキャン中）となる。ＡＤＦ４０で３部目の原稿画像を順次読み取ることができる。
【０２９０】
一方で、１部目の原稿が多く今だにその画像形成が全部終了していないので、ＪＯＢ３ではＩＤ＝ｎ３の全部の原稿画像の読み取りが終了すると、ＪＯＢタスクからＵＩタスクにＩＤ＝ｎ３の原稿画像のスキャンスエンドが通知される。ＪＯＢ３は待機状態になる。
【０２９１】
その後、ＪＯＢ１で１部目の全部の原稿の画像形成が終了すると、ＪＯＢタスクからＵＩタスクにＩＤ＝ｎ１の原稿画像のプリントエンドが通知される。ＪＯＢ１では一定時間だけ待機状態になった後に、２部目の１頁の原稿画像が既に取得されているので、ＪＯＢタスクからＵＩタスクにＩＤ＝ｎ２の原稿画像のプリントスタートが通知される。これにより、最初の１部目の原稿画像のコピーに引き続いて２部目の原稿画像のコピーをすることができる。
【０２９２】
この２部目の原稿画像の全部の画像形成が終了すると、ＪＯＢタスクからＵＩタスクにＩＤ＝ｎ２の原稿画像のプリントエンドが通知される。ＪＯＢ２では一定時間だけ待機状態となった後に、ＪＯＢタスクからＵＩタスクにＩＤ＝ｎ３の原稿画像のプリントスタートが通知される。ＪＯＢ１では３部目の原稿に関して画像形成手段１８による記録紙３０への画像形成が開始される。その後、３部目の全部の原稿の画像形成が終了すると、ＪＯＢタスクからＵＩタスクにＩＤ＝ｎ３のプリントエンドが通知される。これにより、ＪＯＢ１は待機状態となり、最初の１部目の複写に引き続いて２部目の原稿及び３部目の原稿を連続してコピーすることができる。
【０２９３】
図３５は複合機２００のプリント中のコピー予約中に割り込みコピー操作をする場合の状態遷移例を示す概念図である。この例では、枚数の多い１部目（ＩＤ＝ｎ１）の原稿画像を形成しているときに、次の２部目（ＩＤ＝ｎ２）の原稿画像のコピー予約をし、その後に、３部目（ＩＤ＝ｎ３）の原稿画像のコピー予約を操作を開始したが、どうしても、１部目の原稿画像のコピーが終了しない時点で、３部目の原稿のコピーが必要になった場合を想定する。
【０２９４】
この例でも、コピー予約操作からスタートキーを押下する間までに、ＡＤＦ４０に原稿をセットされていることが条件である。この場合には、ＪＯＢ１〜４が利用される。コピー予約ジョブはＦＩＦＯメモリキューに登録され、予約順にプリントアウトされる。
【０２９５】
例えば、ＪＯＢ１で１部目（ＩＤ＝ｎ１）の原稿画像をプリント中に、２部目の原稿のコピーを予約すべく、パネルマネージャがＵＩタスクにコピー予約操作をすると、ＪＯＢ２で待機状態からオペレーション（操作中）状態にジョブが遷移される。その後、パネルマネージャからＵＩタスクにスタートキーが操作されると、ＵＩタスクからＪＯＢタスクにジョブが投入され、オペレーション状態からスキャン状態にジョブが遷移され、スキャンスタート待ち状態になされる。
【０２９６】
そして、一定時間経過の後に、ＪＯＢタスクからＵＩタスクにＩＤ＝ｎ２の原稿画像のスキャンスタートが通知されると、ＪＯＢ２ではスキャン状態（スキャン中）となる。ＡＤＦ４０で２部目の原稿画像を順次読み取ることができる。
【０２９７】
一方、この例でも、１部目の原稿が多くその画像形成が全部終了していないので、ＪＯＢ１ではＩＤ＝ｎ１の原稿画像のプリント動作が継続されている。他方、ＪＯＢ２では２部目の原稿画像の読み取りが継続されている。従って、３部目の原稿画像のコピーをＪＯＢ２に設定することができない。
【０２９８】
そこで、この例でも、ＪＯＢ２の原稿画像の読み取りが終了するを待つのではなく、ＪＯＢ３を利用する。従って、３部目の原稿のコピーを予約すべく、パネルマネージャがＵＩタスクにコピー予約操作をすると、ＪＯＢ３で待機状態からオペレーション（操作中）状態にジョブが遷移される。
【０２９９】
ところで、この例では、３部目の原稿のコピーは通常のコピー予約ではなく、ユーザの使用要求から、急に、画像形成手段１８を使用したコピーを必要とするため、パネルマネージャがＵＩタスクに割り込みコピー操作がなされる。具体的には、ＣＰＵ８１によって、当該ページの区切りで、一旦、コピーが中断され、ＲＡＭ８３の内容が確認される。そしてＲＡＭ８３から読み出した複数のジョブ命令の中で優先順位の高いジョブ命令が実行される。
【０３００】
この例では、ユーザによるコピー要求を最優先としているので、この時点で、ＪＯＢ３のコピー予約操作が中断される。従って、ＪＯＢ３で３部目の原稿画像のコピーの設定することができない。そこで、ＪＯＢ４で待機状態からオペレーション（割り込み操作中）状態にジョブが遷移される。この例では、ＪＯＢ４がオペレーション状態に遷移した後に、ＪＯＢ２で２部目の原稿画像の読み取りが終了するので、ＪＯＢタスクからＵＩタスクにＩＤ＝ｎ２の原稿画像のスキャンスエンドが通知される。ＪＯＢ２は待機状態になる。
【０３０１】
その後、パネルマネージャからＵＩタスクにスタートキーが操作されると、ＵＩタスクからＪＯＢタスクにジョブが投入され、オペレーション状態（割り込み操作中）からスキャン状態にジョブが遷移され、スキャンスタート待ち状態になされる。そして、一定時間経過の後に、ＪＯＢタスクからＵＩタスクにＩＤ＝ｎ３の原稿画像のスキャンスタートが通知されると、ＪＯＢ４ではスキャン状態（スキャン中）となる。ＡＤＦ４０で３部目の原稿画像を順次読み取ることができる。
【０３０２】
その後、ＪＯＢ１では１部目の原稿画像のコピーが終了していないが、当該ページの区切りで一旦コピー動作を中断して、ＪＯＢタスクからＵＩタスクにＩＤ＝ｎ１の原稿画像のコピーエンドが一旦通知される。ＪＯＢ１は一時待機状態になる。そして、３部目の１頁の原稿画像が既に取得されているので、ＪＯＢタスクからＵＩタスクにＩＤ＝ｎ３の原稿画像のプリントスタートが通知される。これにより、ＪＯＢ４ではＪＯＢ１の１部目の原稿画像のコピーに引き続いて３部目の原稿画像のコピー開始をすることができる。
【０３０３】
その後、ＪＯＢ４で３部目の原稿画像の読み取りが終了すると、ＪＯＢタスクからＵＩタスクにＩＤ＝ｎ３の原稿画像のスキャンスエンドが通知される。ＪＯＢ４はプリント状態のみになる。そして、ＪＯＢ４で３部目の全部の原稿の画像形成が終了すると、ＪＯＢタスクからＵＩタスクにＩＤ＝ｎ３の原稿画像のプリントエンドが通知される。ＪＯＢ４は待機状態になる。
【０３０４】
その後、ＪＯＢ１では一定時間だけ待機状態となった後に、残りの１部目の原稿画像のプリントをすべく、ＪＯＢタスクからＵＩタスクにＩＤ＝ｎ１の原稿画像のプリントスタートが通知される。ＪＯＢ１では１部目の原稿に関して画像形成手段１８による記録紙３０への画像形成が再開される。その後、ＪＯＢ１で１部目の原稿の全部の画像形成が終了すると、ＪＯＢタスクからＵＩタスクにＩＤ＝ｎ１の原稿画像のプリントエンドが通知される。
【０３０５】
このＪＯＢ１では一定時間だけ待機状態となった後に、ＪＯＢタスクからＵＩタスクにＩＤ＝ｎ２の原稿画像のプリントスタートが通知される。ＪＯＢ１では２部目の原稿に関して画像形成手段１８による記録紙３０への画像形成が開始される。その後、２部目の全部の原稿の画像形成が終了すると、ＪＯＢタスクからＵＩタスクにＩＤ＝ｎ２のプリントエンドが通知される。
【０３０６】
これにより、ＪＯＢ１は待機状態となり、最初の１部目の原稿のコピーと、１部目の原稿画像の残りのコピーとの間で、３部目の原稿を割り込みコピーした後に、引き続いて、その１部目の原稿画像の残りのコピー及び２部目の原稿を連続してコピーすることができる。
【０３０７】
このように、本実施の形態としての画像形成装置を応用した複合機２００によれば、複数ページを画像形成するジョブ命令を実行する場合であって、そのジョブ命令に基づく１ページの画像形成が終了する毎に、ＲＡＭ８３内のジョブ命令の優先順位が確認されるので、画像形成手段１８を使用する割り込み要求があった時点で、最も、優先度の高いジョブに画像形成手段１８を使用させることができる。
【０３０８】
これにより、現在実行していたジョブに比べて順位の高いユーザによる割り込みコピー要求があった場合には、他のコピー処理に優先して、ユーザによる割り込みコピージョブを実行することができる。従って、ユーザによる割り込みコピー要求を最優先とした複合機を構成することができる。また、ＦＡＸ受信中のコピープリンタの割り込み、プリンタ受信中のコピー割り込み等の複合動作においても、同様の制御が行われる。
【０３０９】
【発明の効果】
以上説明したように、本発明の第１の画像形成装置によれば、第１の複写機能とプリンタ機能とが競合したとき、画像形成手段を優先的に複写機能に使用させるとともに、データ通信手段から得た画像データを、一旦、画像記憶手段に記憶した後、画像記憶手段から読み出し、圧縮手段で圧縮し、画像記憶手段に再度記憶するようになされる。
【０３１０】
この構成によって、複写機能とプリンタ機能とが競合したとき、データ通信手段による画像データを一時画像メモリに記憶することができるので、データ通信手段がコンピユータから受けた画像データのデータ処理待ちを回避することができる。
【０３１１】
従って、原稿読み取り中に、画像形成及び画像通信をすることができる。これと共に、画像記憶手段を効率良く使用することができるので、使用勝手の非常に良い複合機を構成することができる。
【０３１２】
本発明の第２の画像形成装置によれば、第１の複写機能とファクシミリ受信機能とが競合したとき、画像形成手段を優先的に複写機能に使用させるとともに、ファクシミリ手段から得た画像データを、一旦、画像記憶手段に記憶した後、画像記憶手段から読み出し、圧縮手段で圧縮し、画像記憶手段に再度記憶するようになされる。
【０３１３】
この構成によって、第１の複写機能とファクシミリ受信機能とが競合したとき、ファクシミリ手段による相手方から受信された画像データを画像メモリに一時記憶することができるので、ファクシミリ手段が電話回線に接続されて受信した画像データのデータ処理待ちを回避することができる。
【０３１４】
従って、画像形成中に、画像読み取り及び画像通信をすることができる。これと共に、画像記憶手段を効率良く使用することができるので、使用勝手の非常に良い複合機を構成することができる。
【０３１５】
本発明の第３の画像形成装置によれば、プリンタ機能とファクシミリ受信機能とが競合したとき、予め定められた優先度の高い機能に画像形成手段を使用させるとともに、その優先度の低い機能による画像データを、一旦、画像記憶手段に記憶した後、画像記憶手段から読み出し、圧縮手段で圧縮し、画像記憶手段に再度記憶するようになされる。
【０３１６】
この構成によって、プリント機能とファクシミリ受信機能とが競合したとき、その優先度の低い機能による画像データのデータ処理待ちを回避することができる。従って、画像通信中に、画像読み取り及び画像形成をすることができる。これと共に、画像記憶手段を効率良く使用することができるので、使用勝手の非常に良い複合機を構成することができる。
【０３１７】
この発明は複写機能、プリンタ機能、ファクシミリ機能を備えた複合機に適用して極めて好適である。
【図面の簡単な説明】
【図１】本発明の実施形態としての画像形成装置１００の構成例を示すブロック図である。
【図２】その画像形成装置１００の動作例を示すフローチャートである。
【図３】実施形態としての画像形成装置を応用した複合機２００の機能例を示すイメージ図である。
【図４】その画像形成装置を応用した複合機２００の構成例を示すブロック図である。
【図５】その複合機２００の断面の構成例を示す概念図である。
【図６】そのホストブリッジ８２の内部構成例を示すブロック図である。
【図７】そのメモリ制御回路３２の内部構成例を示すブロック図である。
【図８】その画像メモリ３３の領域割り当て例を示すイメージ図である。
【図９】そのＦＡＸ基板２６の回路構成例を示すブロック図である。
【図１０】その複合機２００の操作パネル９００の構成例を示すイメージ図である。
【図１１】その複写画面Ｐ１０の表示例を示すイメージ図である。
【図１２】そのファクシミリ画面Ｐ２０の表示例を示すイメージ図である。
【図１３】そのプリンタ画面Ｐ３０の表示例を示すイメージ図である。
【図１４】その複写モード時の画面表示の遷移例を示す概念図である。
【図１５】そのファクシミリモード時の画面表示の遷移例を示す概念図である。
【図１６】その複合機２００の動作例（スーパファインコピー時）を示すブロック図である。
【図１７】その複合機２００の動作例（メモリコピー回転無し時）を示すブロック図である。
【図１８】その複合機２００の動作例（メモリコピー回転有り時）を示すブロック図である。
【図１９】その複合機２００の動作例（メモリコピー２ｉｎ１時）を示すブロック図である。
【図２０】その複合機２００の動作例（メモリコピーブックレット時）を示すブロック図である。
【図２１】その複合機２００の動作例（ＦＣＯＴコピー時）を示すブロック図である。
【図２２】その複合機２００の動作例（リストプリント時）を示すブロック図である。
【図２３】その複合機２００の動作例（メモリインファックス送信回転無し時）を示すブロック図である。
【図２４】その複合機２００の動作例（メモリインファックス送信回転有り時）を示すブロック図である。
【図２５】その複合機２００の動作例（メモリインファックス・クイック送信時）を示すブロック図である。
【図２６】その複合機２００の動作例（メモリインファックス・クイック送信回転有り時）を示すブロック図である。
【図２７】その複合機２００の動作例（ファクシミリ受信時）を示すブロック図である。
【図２８】その複合機２００の動作例（プリント時）を示すブロック図である。
【図２９】その複合機２００のマルチジョブの管理構造例を示す概念図である。
【図３０】その複合機２００のマルチジョブ時のジョブ毎の状態遷移例を示す概念図である。
【図３１】その複合機２００のジョブ毎の状態遷移例（シングルコピー動作時）を示す概念図である。
【図３２】その複合機２００のジョブ毎の状態遷移例（プリント中のコピー予約１）を示す概念図である。
【図３３】その複合機２００のジョブ毎の状態遷移例（プリント中のコピー予約２）を示す概念図である。
【図３４】その複合機２００のジョブ毎の状態遷移例（プリント中のコピー予約３）を示す概念図である。
【図３５】その複合機２００のジョブ毎の状態遷移例（プリント中の割り込み操作）を示す概念図である。
【図３６】従来方式の複合機１０の構成例を示すブロック図である。
【符号の説明】
１１  画像読取手段
１２  データ通信手段
１３  ファクシミリ手段
１４  第１の圧縮手段
１５  画像記憶制御手段
１６  画像記憶手段
１７  第２の圧縮手段
１８  画像形成手段
１９  伸張手段
２３  制御手段
２４  記憶手段
３２  メモリ制御回路（画像記憶制御手段）
３３  画像メモリ（画像記憶手段）
３４  第１の圧縮伸張回路
３５  画像処理回路
３７  第２の圧縮伸張回路
３８  拡大縮小回路（画像処理回路）
８１  ＣＰＵ（制御手段）
８２  ホストブリッジ
８３  ＲＡＭ（記憶手段）
８６  操作部
８７  表示部
１００  画像形成装置
２００  複合機
９００  操作パネル
【図１】
0003716645.tif 000002
【図２】
0003716645.tif 000003
【図３】
0003716645.tif 000004
【図４】
0003716645.tif 000005
【図５】
0003716645.tif 000006
【図６】
0003716645.tif 000007
【図７】
0003716645.tif 000008
【図８】
0003716645.tif 000009
【図９】
0003716645.tif 000010
【図１０】
0003716645.tif 000011
【図１１】
0003716645.tif 000012
【図１２】
0003716645.tif 000013
【図１３】
0003716645.tif 000014
【図１４】
0003716645.tif 000015
【図１５】
0003716645.tif 000016
【図１６】
0003716645.tif 000017
【図１７】
0003716645.tif 000018
【図１８】
0003716645.tif 000019
【図１９】
0003716645.tif 000020
【図２０】
0003716645.tif 000021
【図２１】
0003716645.tif 000022
【図２２】
0003716645.tif 000023
【図２３】
0003716645.tif 000024
【図２４】
0003716645.tif 000025
【図２５】
0003716645.tif 000026
【図２６】
0003716645.tif 000027
【図２７】
0003716645.tif 000028
【図２８】
0003716645.tif 000029
【図２９】
0003716645.tif 000030
【図３０】
0003716645.tif 000031
【図３１】
0003716645.tif 000032
【図３２】
0003716645.tif 000033
【図３３】
0003716645.tif 000034
【図３４】
0003716645.tif 000035
【図３５】
0003716645.tif 000036
【図３６】
0003716645.tif 000037